(57)【要約】  基材に印刷する方法であって、（ａ）キャップドジアゾニウム成分とカップリング成分とのアゾカップリング反応に基づくクロミック特性を持つ少なくとも１つの時間温度インジケータを基材に、印刷するステップを含む方法に関する。【特許請求の範囲】
【請求項１】
基材に印刷する方法であって、
（ａ）キャップドジアゾニウム成分とカップリング成分とのアゾカップリング反応に基づくクロミック特性を持つ少なくとも１つの時間温度インジケータを基材に、印刷するステップを含む、方法。
【請求項２】
キャップドジアゾニウム成分が、式（１）、（２）、（３）、（４）又は（５）
【化１】
2008509415.tif 000064
（式中、
Ｑは、有機化合物の基であり、
Ｒは、非置換又は置換された、脂肪族又は芳香族アミンの基であり、
Ｔは、非置換又は置換された、脂肪族又は芳香族残基である）
の化合物である、請求項１記載の方法。
【請求項３】
キャップドジアゾニウム成分が、一般式：
【化２】
2008509415.tif 000065
（式中、Ａｒは、場合により置換されたアリール又はヘテロアリール残基、好ましくは場合により置換されたフェニル、ナフチル、ピロリル、フリル、チオフェニル、オキサゾリル、イソキサゾリル、チアゾリル、ピラゾリル、及びピリジニルを表し、そして
式中、Ｒ’及びＲ”は、互いに独立して、ＣＯＯＨ、ＯＨ、ハロゲン、ＳＯ３Ｈ、ＮＨ２、ＮＨ（Ｃ１〜Ｃ２アルキル）、及びＮ（Ｃ１〜Ｃ２アルキル）２からなる群より選択される１つ又は２つの同一又は異なる置換基で場合により置換された、直鎖又は分岐Ｃ１〜Ｃ６アルキルを表し、好ましくはＲ’及びＲ”は、互いに独立して
メチル、
【化３】
2008509415.tif 000066
を表す）
の化合物である、請求項１又は２記載の方法。
【請求項４】
カップリング成分が、非置換若しくは置換されたベンゼン又はナフタレン、開鎖メチレン活性化合物、あるいは非置換又は置換された複素環式化合物である、請求項１〜３のいずれか１項記載の方法。
【請求項５】
キャップドジアゾニウム成分及びカップリング成分が、単一化合物の部分である、請求項１記載の方法。
【請求項６】
単一化合物が、式（６）
【化４】
2008509415.tif 000067
（式中、Ｌは、ヒドロキシ又はＮＨＬ１であり、Ｌ１は、水素又はＣ１〜Ｃ４アルキルであり、そしてＢは、芳香族又は複素環式環である）
の化合物である、請求項５記載の方法。
【請求項７】
単一化合物が、
【化５】
2008509415.tif 000068
（式中
Ｌ２は、ヒドロキシ又はＮＨＬ１であり、Ｌ１は、水素又はＣ１〜Ｃ４アルキルであり、Ｌ３は、Ｃ１〜Ｃ４アルキル又はスルホであり、Ｌ４は、ヒドロキシ又はスルホであり、Ｌ５は、水素、Ｃ１〜Ｃ４アルキル、−ＣＯＯＨ又はＣＯＯＣ１〜Ｃ４アルキルであり、Ｌ６及びＬ７は、互いに独立して、水素又はＣ１〜Ｃ４アルコキシであり、ｎは、数０、１又は２であり、そしてｍは、数０、１又は２である）
からなる群より選択される、請求項６記載の方法。
【請求項８】
キャップドジアゾニウム成分及びカップリング成分が、１つを超えるアゾ部分を含有するアゾ染料をもたらす複数のアゾカップリング反応を実行できる、請求項１〜７のいずれか１項記載の方法。
【請求項９】
ステップ（ａ）の後に
（ｂ）ｐＨを、６．５から１．５の、好ましくは４から３の値に低下させることで時間温度インジケータを活性化するステップを更に含む、請求項１〜８のいずれか１項記載の方法。
【請求項１０】
ステップ（ｂ）が、基材に（ｉ）酸及び／若しくは酸性緩衝溶液、又は（ｉｉ）光潜在性酸溶液を印刷することを含む、請求項９記載の方法。
【請求項１１】
光潜在性酸が、オキシムスルホナート化合物、アルファ−スルホニルオキシカルボニル化合物、Ｎ−スルホニルオキシイミド化合物、ｏ−ニトロベンジルスルホナート化合物、及びピロガロールスルホナート化合物からなる群より選択される、請求項９又は１０記載の方法。
【請求項１２】
ステップ（ｂ）が、１５０ｎｍと１５００ｎｍの間、好ましくは２５０ｎｍと４５０ｎｍの間の波長の短波光の照射で光潜在性酸の活性酸触媒への変換を更に含む、請求項９〜１１のいずれか１項記載の方法。
【請求項１３】
キャップドジアゾニウム成分、カップリング成分、及び光潜在性酸からなる群より選択される、アゾカップリング反応に基づくクロミック特性を持つ時間温度インジケータの少なくとも１つの成分を含む、印刷インク又は印刷インク濃縮物。
【請求項１４】
経年劣化感受性及び温度感受性製品の品質を決定する方法であって、
ａ）キャップドジアゾニウム成分とカップリング成分との間のアゾカップリング反応に基づくクロミック特性を持つ少なくとも１つの時間温度インジケータを基材に印刷するステップと、
ｂ）好ましくは光誘起酸性化でインジケータを活性化するステップと、
ｃ）インジケータの光誘起酸性化が継続することを阻止するプロテクタを場合により塗布するステップと、
ｄ）時間又は温度誘起着色の度合を決定して、着色の度合から製品の品質を推定するステップと、
を含む、方法。
【請求項１５】
製品を偽造防止ラベリングするための方法であって、
キャップドジアゾニウム成分とカップリング成分との間のアゾカップリング反応に基づくクロミック特性を持つ少なくとも１つの時間温度インジケータを、製品へ又は製品のパッケージへ印刷するステップを含み、製品ラベルをインジケータの活性化、特に光誘起酸性化で可視化させることができる、方法。
【発明の詳細な説明】
【技術分野】
【０００１】
本発明は、（ａ）安定化ジアゾニウムイオンとカップリング化合物との間のアゾカップリング反応に基づくクロミック特性を有する少なくとも１つのインジケータを含む、時間−温度インジケータ（ＴＴＩ）を基材に印刷するステップを含む、基材に印刷する方法に関する。
【０００２】
腐敗しやすい材料（perishable materials）を使用するとき、多くの場合、材料の製造後時間及び現在の使用可能状態を確認することが望ましい。以前は使用期限を包装に付すことで十分と考えられていたが、多くの製品では、そのような手順は、現在、改ざんの恐れをなくすためには不正確及び不十分である。特に腐敗しやすい製品の状態は、一般に、時間だけではなく、他の変数、例えば特に温度の関数である。
【０００３】
米国特許第３，９９９，９４６号は、この問題に対処し、腐敗しやすい製品に時間／温度履歴を与えるインジケータを用意することを提案している。製品の貯蔵期間及び貯蔵温度により、当初は無色のアセチレンベースインジケータが、貯蔵された腐敗しやすい製品の品質を推測することができる特徴的で不可逆的な色変化を示す。
【０００４】
欧州特許公開公報第１１７  ３９０号にもジアセチレン材料に基づく時間−温度インジケータを記載しており、ここではジアセチレン材料の反射率の変化が測定され、ジアセチレン材料は、通例の印刷技法、例えばフレキソ印刷、凹版印刷、スクリーン印刷、インクジェット印刷、又は活版印刷によって基材に塗布される。
【０００５】
更に米国特許第５，０５３，３３９号は、インジケータを含む層と、インジケータに対して不浸透性であり、活性剤に対して浸透性であるバリア層と、活性剤を含む層とからなる時間−温度インジケータ（ＴＴＩ）を記載する。活性剤は、温度に依存してバリア層を通じてインジケータ層内へ拡散し、そこで色の変化を提供する。
【０００６】
原則として、さまざまな温度で反応を腐敗しやすい商品の分解速度に調整できる場合、ほぼすべての色形成反応は、時間温度インジケータ型の範囲内で適切である。例えば国際公開公報第９９／３９１９７号は、転位反応に基づくフォトクロミック特性を有する少なくとも１つの可逆性インジケータを含む、時間−温度インジケータを記載する。印刷に使用されるＴＴＩの性質及び量は、腐敗しやすい製品に適合させることができる。ＴＴＩは、溶液及び水性分散物の両方の形で使用できる。
【０００７】
アゾイック染料及び繊維表面又は繊維内で不溶性アゾ染料が直接生成される染色へのこれらの使用は、長い間知られている。例えばアリールアミンを、水溶液中で塩酸の存在下で溶解したアルカリ金属の亜硝酸塩と、あるいは有機溶媒中で有機亜硝酸塩、例えば亜硝酸ｔ−ブチルと反応させるときに、ジアゾニウムイオンが生成される。ジアゾニウムイオンは、置換又はカップリング反応を受けることができる反応性中間体である。例えばハロゲン、シアニド、ヒドロキシル又は水素などの基は、アレーンに結合したジアゾ基（ＡｒＮ２＋）を置換する場合がある。ベンゼン環のオルト位及びパラ位を活性化する強電子供与基（例えば−ＯＨ及び−ＮＨ２）を含有するアニリン及びフェノールなどの化合物は、ジアゾニウムイオンとのカップリング反応を受けることができる。カップリング反応の機構は、求電子芳香族置換反応である。
【０００８】
従来技術において、時間温度インジケータ形式内でのアゾカップリング反応の使用は、記載も提案もされていない。これは主に、開始材料の１つであるジアゾ化アミンが不安定すぎてＴＴＩ内で扱えないという事実のためである。
【０００９】
こうして、色形成アゾカップリングが、さまざまな温度で、腐敗しやすい商品の分解速度を制御及び十分に調整でき、したがって新規な時間温度インジケータ型の基礎成分を形成できる、アゾカップリング反応に基づいた時間温度インジケータに対する要求がある。
【００１０】
本発明による問題は、経年劣化感受性及び温度感受性製品の品質を決定する方法であって、
（ａ）キャップドジアゾニウム成分とカップリング成分との間のアゾカップリング反応に基づいて、クロミック特性を備えた少なくとも１つの時間温度インジケータを基材に印刷するステップと、
（ｂ）好ましくは光誘起酸性化で、時間温度インジケータを活性化するステップと、
（ｃ）インジケータの光誘起酸性化が継続することを阻止するプロテクタを場合により塗布するステップと、
（ｄ）時間又は温度誘起着色の度合を決定して、着色の度合から製品の品質を推定するステップと、
を含む方法によって、あるいは
基材に印刷する方法であって、
（ａ）キャップドジアゾニウム成分とカップリング成分との間のアゾカップリング反応に基づくクロミック特性を備えた少なくとも１つの時間温度インジケータを基材に、印刷するステップと、
を含む方法で解決される。
【００１１】
好ましくは、印刷ステップ（ａ）は、キャップドジアゾニウム成分とカップリング成分との間のアゾカップリング反応に基づくクロミック特性を備えた少なくとも１つの時間温度インジケータが、微細ノズルからのインク液滴を基材に直接噴射することと、その上にインク液滴を沈着させることとで、適切な基材に転写されるインクジェット印刷技術を使用して実施される。アゾカップリング反応は、一般に、ジアゾニウム塩がカップリング化合物（例えば芳香族又はヘテロ芳香族化合物）と反応して安定なアゾ染料又は顔料を形成する反応であると理解されている。一般にジアゾ化合物は、水溶液中でのアルカリ金属亜硝酸塩及び塩酸、あるいは非水溶液中での有機亜硝酸塩のどちらかによる処理後の１級アリールアミンから得られる。ジアゾ化合物は、アゾ化合物でのように２個ではなく、１個のみの炭化水素基と化合するＮ２集団を含有するとして説明できる。ジアゾ化合物の形成は、無機又は有機亜硝酸塩からの窒素によるアリール１級アミンの塩の水素原子３個の置換に依存しており、いわゆるジアゾニウム塩を形成する。例えばアゾ染料は、フェノール又はナフトールをジアゾニウム化合物にカップリングすることによって得られる。フェノール性ヒドロキシル基を持つ化合物、ナフトール及び類似物質、１級（及び一部の２級）アリールアミン、アセト酢酸エステル及びアリールアミンの誘導体を含む、エノール化が可能な反応性メチレン基を持つ芳香族化合物、フェノール及びナフトールエチルエーテル及びアセチルナフチルアミンを含む一部の複素環、例えばピロール、インドール及びイミダゾール、ｏ−アルキルフェノール、ナフトール及びＮ−アシルアミン、脂肪族エノール、例えばエチルアセトアセテート、ならびに脂環式炭素を含有する化合物、例えばアスコルビン酸又はジメドンは、ジアゾニウム化合物とのカップリング成分であることが可能な化合物である。
【００１２】
そのクロミック特性のために、インジケータはアゾ染料又は顔料の形成によって時間及び温度依存性着色を受けることができる。インジケータの着色プロセスは、定義した時点で、好ましくは例えば、特に腐敗しやすい材料のパッケージである基材の印刷直後に開始できる。したがって時間−温度時計は、定義した所望の時点で開始可能であり、必ずしもインジケータ合成の時間で作動を開始するわけではない。着色は本発明による考慮が好ましいが、開始化合物の少なくとも１つでも着色されたときに色変化プロセスが時間−温度時計の基礎を形成するインジケータの使用も考えられる。
【００１３】
異なる時間ドメインを有する２つ以上のインジケータを使用することも可能であり；すなわち、例えば異なるアゾカップリング反応に基づく２つ以上のインジケータを場合により他のインジケータ、例えば非常に高温で腐敗しやすい製品の貯蔵を示すインジケータと組合せて使用することが可能である。
【００１４】
経年劣化感受性又は温度感受性製品の品質の実際の決定は、時間温度インジケータの活性化が先行する。着色プロセスは、ｐＨの値を６．５から１．５まで、好ましくは４から３まで低下させることで開始される。これは例えば活性酸触媒を形成するために、酸又は酸緩衝溶液を添加することで、あるいは反応溶媒中に存在する光潜在性酸の照射で達成できる。
【００１５】
アゾカップリング反応の速度は、反応溶媒のｐＨに強く依存する。反応の各種時点において、既に形成されたアゾ製品の濃度に依存する各種の色合いを観察できる。本発明はしたがって、カップリング反応が異なるｐＨ値で実施されるという点で、単一のアゾカップリング化学作用に基づく各種の異なる時間温度インジケータを提供する。当業者に周知である適切な緩衝系を選ぶことで、特定のｐＨを容易に調整できることが理解されるだろう。
【００１６】
後の時点で、時間又は温度誘起着色の度合を次いで測定して、製品の品質をそこから推測する。ヒトの肉眼を用いて評価を行うとき、ある品質グレード、ある時点などをある脱色の度合に割り当てる参照スケールを例えば基材に沿って、又は基材の下に配置することが好都合であってもよい。
【００１７】
本発明による方法は、腐敗しやすい製品、例えば食品（例えば冷凍食品）、医薬品、薬剤、移植臓器、及び腐敗しやすい原材料をマーキングするのに適切である。
【００１８】
アゾカップリング反応の化学的性質に応じて、そして特にジアゾニウム塩及びカップリング化合物の両方の反応性ならびに反応溶媒のｐＨ値にしたがって、異なる長さの脱色時間を達成できることが一般に認められている。
【００１９】
好ましくは、本発明による基材に印刷する方法は、（ａ）キャップドジアゾニウム成分及びカップリング成分が、単一の溶液として基材に印刷される、基材にキャップドジアゾニウム成分とカップリング成分との間のアゾカップリング反応に基づくクロミック特性を備えた少なくとも１つの時間温度インジケータを印刷するステップを含む。その代わりに、キャップドジアゾニウム成分及びカップリング成分を別個の溶液として基材に印刷することも可能である。
【００２０】
基材が、パッケージ材料又はパッケージ材料に塗布されるラベルである場合が好ましい。
【００２１】
好ましいキャップドジアゾニウム成分の例は、式（１）、（２）、（３）、（４）及び（５）
【００２２】
【化６】
2008509415.tif 000002
【００２３】
（式中、
Ｑは、有機化合物の基であり、
Ｒは、非置換又は置換された、脂肪族又は芳香族アミンの基であり、
Ｔは、非置換又は置換された、脂肪族又は芳香族残基である）
の化合物である。
【００２４】
更に好ましいキャップドジアゾニウム成分の例は、式（１）、（２）、（３）、（４）及び（５）
（式中
Ｑは、非置換フェニル；ナフチル；チオフェニル；１，３−チアゾリル；１，２−チアゾリル；１，３−ベンゾチアゾリル；２，３−ベンゾチアゾリル；イミダゾリル；１，３，４−チアジアゾリル；１，３，５−チアジアゾリル；１，３，４−トリアゾリル；ピラゾリル；ベンズイミダゾリル；ベンゾピラゾリル；ピリジニル；キノリニル；ピリミジニル；イソキサゾリル；アミノジフェニル；アミノジフェニルエーテル及びアゾベンゼニルであり；あるいは
Ｑは、Ｃ１〜Ｃ４アルキル、Ｃ１〜Ｃ４アルコキシ、Ｃ１〜Ｃ４アルキルチオ、ハロゲン、例えばフッ素、臭素又は塩素、ニトロ、トリフルオロメチル、ＣＮ、ＳＣＮ、Ｃ１〜Ｃ４アルキルスルホニル、フェニルスルホニル、ベンジルスルホニル、ジ−Ｃ１〜Ｃ４アルキルアミノスルホニル、Ｃ１〜Ｃ４アルキル−カルボニルアミノ、Ｃ１〜Ｃ４アルコキシスルホニルによって、又はジ−（ヒドロキシ−Ｃ１〜Ｃ４アルキル）−アミノスルホニルによって一置換又は多置換された、フェニル、ナフチル、チオフェニル、１，３−チアゾリル、１，２−チアゾリル、１，３−ベンゾチアゾリル、２，３−ベンゾチアゾリル、イミダゾリル、１，３，４−チアジアゾリル、１，３，５−チアジアゾリル、１，３，４−トリアゾリル、ピラゾリル、ベンズイミダゾリル、ベンゾピラゾリル、ピリジニル、キノリニル、ピリミジニル及びイソキサゾリル、アミノジフェニル、アミノジフェニルエーテル及びアゾベンゼニルであり；
あるいはＱは、有機化合物のカチオン性基であり；そして
Ｒは、式−ＮＲ１６Ｒ１７の基であり、式中、Ｒ１６は、水素；非置換直鎖若しくは分岐Ｃ１〜Ｃ６アルキル又は、ＯＣ１〜Ｃ４アルキル、ＣＯＯＨ、ＣＯＯＣ１〜Ｃ２アルキル、ＳＯ３Ｈ、ＮＨ２、ＣＮ、ハロゲン、若しくはＯＨからなる群より選択される１つ以上の同一若しくは異なる置換基で置換された、直鎖若しくは分岐Ｃ１〜Ｃ６アルキルであり、Ｒ１７は、非置換直鎖若しくは分岐Ｃ１〜Ｃ６アルキル又は、ＯＣ１〜Ｃ４アルキル、ＣＯＯＨ、ＣＯＯＣ１〜Ｃ２アルキル、ＳＯ３Ｈ、ＮＨ２、ＣＮ、ハロゲン、及びＯＨからなる群より選択される１つ以上の同一若しくは異なる置換基で置換された、直鎖若しくは分岐Ｃ１〜Ｃ６アルキルであり；あるいは
Ｒは、非置換アニリンの基；非置換アミノナフタレンの基；アニリン又はアミノナフタレンの基であり、フェニル又はナフチル環が、ＣＯＯＨ、ＳＯ３Ｈ、ＣＮ、ハロゲン、ＳＯ２Ｃ１〜Ｃ２アルキル、非置換直鎖若しくは分岐Ｃ１〜Ｃ４アルキル、ＯＨ、カルボキシ、ＣＯＣ１〜Ｃ２アルキル若しくはＳＯ２−Ｎ（Ｃ１〜Ｃ４アルキル）−（ＣＨ２）１〜４ＳＯ３Ｈで置換された直鎖若しくは分岐Ｃ１〜Ｃ４アルキルからなる群より選択される１つ以上の同一又は異なる置換基で置換され、ここでアミノ基が水素、非置換直鎖若しくは分岐Ｃ１〜Ｃ４アルキル又は、ＯＨ若しくはカルボキシで置換された直鎖若しくは分岐Ｃ１〜Ｃ４アルキルで置換され；そして
Ｔは、直鎖若しくは分岐非置換Ｃ１〜Ｃ６アルキル又は、ＯＣ１〜Ｃ４アルキル、ＣＯＯＨ、ＣＯＯＣ１〜Ｃ２アルキル、ＳＯ３Ｈ、ＮＨ２、ＮＨ（Ｃ１〜Ｃ２アルキル）、Ｎ（Ｃ１〜Ｃ２アルキル）２、ＣＮ、ハロゲン、及びＯＨからなる群より選択される１つ以上の同一若しくは異なる置換基で置換された直鎖若しくは分岐Ｃ１〜Ｃ６アルキルであり；あるいは
Ｔは、非置換フェニル；非置換ナフチル；ＯＣ１〜Ｃ４アルキル、ＣＯＯＨ、ＣＯＯＣ１〜Ｃ２アルキル、ＳＯ３Ｈ、ＮＨ２、ＮＨ（Ｃ１〜Ｃ２アルキル）、Ｎ（Ｃ１〜Ｃ２アルキル）２、ＣＮ、ハロゲン、及びＯＨからなる群より選択される１つ以上の同一若しくは異なる置換基で置換された、フェニル又はナフチルである）
の化合物である。
【００２５】
キャップドジアゾニウム成分のなお更に好ましい例は、式（１）、（２）、（３）、（４）及び（５）
（式中
Ｑは、非置換フェニル；ナフチル；チオフェニル；１，３−チアゾリル；１，２−チアゾリル；１，３−ベンゾチアゾリル；２，３−ベンゾチアゾリル；イミダゾリル；１，３，４−チアジアゾリル；１，３，５−チアジアゾリル；１，３，４−トリアゾリル；ピラゾリル；ベンズイミダゾリル；ベンゾピラゾリル；ピリジニル；キノリニル；ピリミジニル；イソキサゾリル；アミノジフェニル；アミノジフェニルエーテル及びアゾベンゼニルであり；あるいは
Ｑは、Ｃ１〜Ｃ４アルキル、Ｃ１〜Ｃ４アルコキシ、Ｃ１〜Ｃ４アルキルチオ、ハロゲン、例えばフッ素、臭素又は塩素、ニトロ、トリフルオロメチル、ＣＮ、ＳＣＮ、Ｃ１〜Ｃ４アルキルスルホニル、フェニルスルホニル、ベンジルスルホニル、ジ−Ｃ１〜Ｃ４アルキルアミノスルホニル、Ｃ１〜Ｃ４アルキル−カルボニルアミノ、Ｃ１〜Ｃ４アルコキシスルホニルで、又はジ−（ヒドロキシ−Ｃ１〜Ｃ４アルキル）−アミノスルホニルで一置換又は多置換された、フェニル、ナフチル、チオフェニル、１，３−チアゾリル、１，２−チアゾリル、１，３−ベンゾチアゾリル、２，３−ベンゾチアゾリル、イミダゾリル、１，３，４−チアジアゾリル、１，３，５−チアジアゾリル、１，３，４−トリアゾリル、ピラゾリル、ベンズイミダゾリル、ベンゾピラゾリル、ピリジニル、キノリニル、ピリミジニル及びイソキサゾリル、アミノジフェニル、アミノジフェニルエーテル及びアゾベンゼニルであり；
あるいはＱは、有機化合物のカチオン性基であり；そして
Ｒは、式−ＮＲ１６Ｒ１７の基であり、式中、Ｒ１６は、水素；非置換直鎖又は分岐Ｃ１〜Ｃ６アルキル又は、ＯＣ１〜Ｃ４アルキル、ＣＯＯＨ、ＣＯＯＣ１〜Ｃ２アルキル、ＳＯ３Ｈ、ＮＨ２、ＣＮ、ハロゲン、及びＯＨからなる群より選択される１つ以上の同一若しくは異なる置換基で置換された、直鎖若しくは分岐Ｃ１〜Ｃ６アルキルであり、Ｒ１７は、非置換直鎖若しくは分岐Ｃ１〜Ｃ６アルキル又は、ＯＣ１〜Ｃ４アルキル、ＣＯＯＨ、ＣＯＯＣ１〜Ｃ２アルキル、ＳＯ３Ｈ、ＮＨ２、ＣＮ、ハロゲン、及びＯＨからなる群より選択される１つ以上の同一若しくは異なる置換基で置換された直鎖若しくは分岐Ｃ１〜Ｃ６アルキルであり；そして
Ｔは、ＣＯＯＨ、ＳＯ３Ｈ、ＮＨ２、ＮＨ（Ｃ１〜Ｃ２アルキル）及びＮ（Ｃ１〜Ｃ２アルキル）２からなる群より選択される１つ又は２つの同一又は異なる置換基で置換された、直鎖又は分岐Ｃ１〜Ｃ６アルキルであり；あるいは
Ｔは、非置換フェニル；非置換ナフチル；ＯＣ１〜Ｃ４アルキル、ＣＯＯＨ、ＣＯＯＣ１〜Ｃ２アルキル、ＳＯ３Ｈ、ＮＨ２、ＮＨ（Ｃ１〜Ｃ２アルキル）、Ｎ（Ｃ１〜Ｃ２アルキル）２、ＣＮ、ハロゲン、及びＯＨからなる群より選択される１つ以上の同一又は異なる置換基で置換された、フェニル又はナフチルである）
の化合物である。
【００２６】
式（１）のキャップドジアゾニウム成分の特に好ましい例は、化合物
（式中
Ｑは、非置換フェニル；ナフチル；チオフェニル；１，３−チアゾリル；１，２−チアゾリル；１，３−ベンゾチアゾリル；２，３−ベンゾチアゾリル；イミダゾリル；１，３，４−チアジアゾリル；１，３，５−チアジアゾリル；１，３，４−トリアゾリル；ピラゾリル；ベンズイミダゾリル；ベンゾピラゾリル；ピリジニル；キノリニル；ピリミジニル；イソキサゾリル；アミノジフェニル；アミノジフェニルエーテル及びアゾベンゼニルであり；あるいは
Ｑは、Ｃ１〜Ｃ４アルキル、Ｃ１〜Ｃ４アルコキシ、Ｃ１〜Ｃ４アルキルチオ、ハロゲン、例えばフッ素、臭素又は塩素、ニトロ、トリフルオロメチル、ＣＮ、ＳＣＮ、Ｃ１〜Ｃ４アルキルスルホニル、フェニルスルホニル、ベンジルスルホニル、ジ−Ｃ１〜Ｃ４アルキルアミノスルホニル、Ｃ１〜Ｃ４アルキル−カルボニルアミノ、Ｃ１〜Ｃ４アルコキシスルホニルで、又はジ−（ヒドロキシ−Ｃ１〜Ｃ４アルキル）−アミノスルホニルで一置換又は多置換された、フェニル、ナフチル、チオフェニル、１，３−チアゾリル、１，２−チアゾリル、１，３−ベンゾチアゾリル、２，３−ベンゾチアゾリル、イミダゾリル、１，３，４−チアジアゾリル、１，３，５−チアジアゾリル、１，３，４−トリアゾリル、ピラゾリル、ベンズイミダゾリル、ベンゾピラゾリル、ピリジニル、キノリニル、ピリミジニル及びイソキサゾリル、アミノジフェニル、アミノジフェニルエーテル及びアゾベンゼニルであり、
あるいはＱは、有機化合物のカチオン性基であり、そして
Ｒは、式−ＮＲ１６Ｒ１７の基であり、式中、Ｒ１６は、水素；非置換直鎖若しくは分岐Ｃ１〜Ｃ６アルキル又は、ＯＣ１〜Ｃ４アルキル、ＣＯＯＨ、ＣＯＯＣ１〜Ｃ２アルキル、ＳＯ３Ｈ、ＮＨ２、ＣＮ、ハロゲン、及びＯＨからなる群より選択される１つ以上の同一若しくは異なる置換基で置換された、直鎖若しくは分岐Ｃ１〜Ｃ６アルキルであり、Ｒ１７は、非置換直鎖若しくは分岐Ｃ１〜Ｃ６アルキル又は、ＯＣ１〜Ｃ４アルキル、ＣＯＯＨ、ＣＯＯＣ１〜Ｃ２アルキル、ＳＯ３Ｈ、ＮＨ２、ＣＮ、ハロゲン、及びＯＨからなる群より選択される１つ以上の若しくは異なる置換基で置換された、直鎖若しくは分岐Ｃ１〜Ｃ６アルキルである）
を含む。
【００２７】
式（１）のキャップドジアゾニウム成分の更に好ましい例は、化合物であり、
式中
Ｑは、有機化合物のカチオン性基であり；
Ｒは、式−ＮＲ１６Ｒ１７の基であり、式中、Ｒ１６は、Ｈ；非置換直鎖若しくは分岐Ｃ１〜Ｃ６アルキル又は、ＯＣ１〜Ｃ４アルキル、ＣＯＯＨ、ＣＯＯＣ１〜Ｃ２アルキル、ＳＯ３Ｈ、ＮＨ２、ＣＮ、ハロゲン、及びＯＨからなる群より選択される１つ以上の同一若しくは異なる置換基で置換された、直鎖若しくは分岐Ｃ１〜Ｃ６アルキルであり、Ｒ１７は、非置換直鎖若しくは分岐Ｃ１〜Ｃ６アルキル又は、ＯＣ１〜Ｃ４アルキル、ＣＯＯＨ、ＣＯＯＣ１〜Ｃ２アルキル、ＳＯ３Ｈ、ＮＨ２、ＣＮ、ハロゲン、及びＯＨからなる群より選択される１つ以上の同一若しくは異なる置換基で置換された、直鎖若しくは分岐Ｃ１〜Ｃ６アルキルである。
【００２８】
式（１）のキャップドジアゾニウム成分の最も好ましい例は、化合物であり、式中、
Ｑは、式
【００２９】
【化７】
2008509415.tif 000003
【００３０】
の基であり、
式中、Ｒ８０及びＲ８１は、互いに独立して、水素；非置換若しくは置換された直鎖又は分岐Ｃ１〜Ｃ６アルキル、ＯＣ１〜Ｃ４アルキル、ＣＯＯＨ、ＣＯＯＣ１〜Ｃ２アルキル、ＳＯ３Ｈ、ＮＨ２、ＣＮ、ハロゲン、及びＯＨであり；そして
Ｒは、式−ＮＲ１６Ｒ１７の基であり、式中、Ｒ１６は、非置換直鎖又は分岐Ｃ１〜Ｃ６アルキルであり、Ｒ１７は、非置換直鎖若しくは分岐Ｃ１〜Ｃ６アルキル又は、ＯＣ１〜Ｃ４アルキル、ＣＯＯＨ、ＣＯＯＣ１〜Ｃ２アルキル、ＳＯ３Ｈ、ＮＨ２、ＣＮ、ハロゲン、及びＯＨからなる群より選択される１つ以上の同一若しくは異なる置換基で置換された、直鎖若しくは分岐Ｃ１〜Ｃ６アルキルである。
【００３１】
キャップドジアゾニウム成分の特に好ましい例は、次の一般式：
【００３２】
【化８】
2008509415.tif 000004
【００３３】
（式中、Ａｒは、場合により置換されたアリール又はヘテロアリール残基、特に場合により置換されたフェニル、ナフチル、ピロリル、フリル、チオフェニル、オキサゾリル、イソキサゾリル、チアゾリル、ピラゾリル、及びピリジニルを表し；そして
式中、Ｒ’及びＲ”は、互いに独立して、ＣＯＯＨ、ＯＨ、ハロゲン、ＳＯ３Ｈ、ＮＨ２、ＮＨ（Ｃ１〜Ｃ２アルキル）及びＮ（Ｃ１〜Ｃ２アルキル）２からなる群より選択される１つ又は２つの同一又は異なる置換基で場合により置換された、直鎖又は分岐Ｃ１〜Ｃ６アルキルを表し、特にＲ’及びＲ”は、互いに独立して
メチル、
【００３４】
【化９】
2008509415.tif 000005
【００３５】
を表す）の化合物を含む。
【００３６】
キャップドジアゾニウム成分が、次の式の化合物であるときが最も好ましい。
【００３７】
【化１０】
2008509415.tif 000006
【００３８】
それぞれ−ＳＯ３Ｈスルホン酸基は、任意の相当する塩、例えばアルカリ金属、アルカリ土類金属又はそのアンモニア塩も表すことが理解されるだろう。
【００３９】
適切なカップリング成分は、非置換若しくは置換されたベンゼン又はナフタレン化合物、開鎖メチレン活性化合物、及び非置換又は置換された複素環式化合物である。
【００４０】
カップリング化合物が、アシルアセトアリールアミド、フェノール、ナフトール、ピリドン、キノロン、ピラゾール、インドール、ジフェニルアミン、アニリン、アミノピリジン、ピリミドン、ナフチルアミン、アミノチアゾール、チオフェン、及びヒドロキシピリジンからなる群より選択されるときが好ましい。
【００４１】
更に好ましくは、カップリング成分は、アセトアセトアニリド、フェノール、アニリン、ジフェニルアミン、ナフチルアミン、インドール、キノリン、ピリドン、ピラゾール、及びアミノピリジンからなる群より選択される。
【００４２】
場合により、カップリング成分は、アミノ、アルキルアミノ、ジアルキルアミノ、ハロゲン、アルキル、アルコキシ、アリール、好ましくはフェニル又はナフチル、アリールオキシ、ヒドロキシ、カルボキシ、スルホ、及び４級化アンモニウム基からなる群より選択される１つ以上の置換基を持つことができる。
【００４３】
カップリング成分の好ましい例は、次の式：
【００４４】
【化１１】
2008509415.tif 000007
2008509415.tif 000008
【００４５】
（式中、Ｘ、Ｘ’、及びＸ”は、互いに独立して、ＯＨ及びＮＨ２を表す）
【００４６】
【化１２】
2008509415.tif 000009
【００４７】
の化合物を含む。
【００４８】
特に好ましいカップリング成分は、
【００４９】
【化１３】
2008509415.tif 000010
【００５０】
からなる群より選択され、式中、Ｘ’は、Ｃ１〜Ｃ６−アルキル又は−Ｏ−Ｃ１〜Ｃ６−アルキルを表す。
【００５１】
本発明の別の実施形態において、キャップドジアゾニウム成分及びカップリング成分は、単一化合物の部分である。
【００５２】
キャップドジアゾニウム成分を表す部分及びカップリング成分部分の両方を有する好ましい化合物は、式（６）
【００５３】
【化１４】
2008509415.tif 000011
【００５４】
（式中、Ｌは、ヒドロキシ又はＮＨＬ１であり、Ｌ１は、水素又はＣ１〜Ｃ４アルキルであり、そしてＢは、芳香族又は複素環式環である）の化合物である。
【００５５】
更に好ましくは、キャップドジアゾニウム成分及びカップリング成分部分の両方を表す単一化合物は、
【００５６】
【化１５】
2008509415.tif 000012
【００５７】
（式中、Ｌ２は、ヒドロキシ又はＮＨＬ１であり、Ｌ１は、水素又はＣ１〜Ｃ４アルキルであり、Ｌ３は、Ｃ１〜Ｃ４アルキル又はスルホであり、Ｌ４は、ヒドロキシ又はスルホであり、Ｌ５は、水素、Ｃ１〜Ｃ４アルキル、−ＣＯＯＨ又はＣＯＯＣ１〜Ｃ４アルキルであり、Ｌ６及びＬ７は、互いに独立して、水素又はＣ１〜Ｃ４アルコキシであり、ｎは、数０、１又は２であり、そしてｍは、数０、１又は２である）からなる群より選択される。
【００５８】
キャップドジアゾニウム成分部分及びカップリング成分部分を有する特に好ましい化合物は、次の式：
【００５９】
【化１６】
2008509415.tif 000013
【００６０】
の化合物を含む。
【００６１】
本発明による時間温度インジケータの基礎を成す、キャップドジアゾニウム成分とカップリング成分との間のアゾカップリング反応は、好ましくは、
【００６２】
【化１７】
2008509415.tif 000014
2008509415.tif 000015
【００６３】
からなる群より選択されるアゾ染料を形成する。
【００６４】
本発明のなお別の実施形態において、キャップドジアゾニウム成分及び／又はカップリング成分は、１つを超えるアゾ部分を含有するアゾ染料をもたらす、複数のアゾカップリング反応を実行することができる。第２の、そして任意の更なるアゾカップリング反応は、キャップドジアゾニウム成分を既に存在するアゾ化合物とカップリングすることで、あるいはアゾ化合物をジアゾ化し、続いて普通のカップリング成分にカップリングすることでのどちらかで行われる。複数のアゾ基を含有するカップリング生成物は、その異なる吸収極大で識別できる。それぞれ追加のアゾカップリングは、一般に顕著な色変化を伴うため、反応の進行は目視により追跡できる。好ましくは、本発明によるＴＴＩ反応中に形成された染料は、２つのアゾ基を含有する。
【００６５】
本発明による基材に印刷する方法において、時間温度インジケータは、好ましくは水溶液である反応溶媒を酸性化することで、ステップ（ａ）にしたがって活性化される。更に好ましくは、活性化はｐＨを６．５から１．５、更に好ましくは４から３の値に低下させることで達成される。酸性化は、基材に印刷する方法が、基材に（ｉ）酸及び／若しくは酸性緩衝溶液、又は（ｉｉ）光潜在性酸溶液を印刷することを含むステップ（ｂ）を含むという点で実現できる。
【００６６】
好ましくは、酸及び／若しくは酸性緩衝溶液（ｉ）、又は光潜在性酸溶液（ｉｉ）は、ステップ（ａ）で基材に、単一溶液の一部としてのキャップドジアゾニウム成分及び／又はカップリング成分と一緒に印刷される。酸性化に適切な酸は、塩酸、リン酸、硫酸、酢酸、トリフルオロ酢酸、トリフルオロメタンスルホン酸、グルコン酸、酒石酸、リンゴ酸、フマル酸、コハク酸、及びクエン酸からなる群より選択される。
【００６７】
光潜在性酸の例は、オキシムスルホナート化合物、α−スルホニルオキシカルボニル化合物、Ｎ−スルホニルオキシイミド化合物、ｏ−ニトロベンジルスルホナート化合物、及びピロガロールスルホナート化合物を含む。
【００６８】
好ましい光潜在性酸は、式Ｉａ、Ｉｂ、ＩＩａ、ＩＩｂ、ＩＩＩａ、ＩＩＩｂ、ＩＶａ、ＩＶｂ、Ｖａ、Ｖｂ、又はＶＩａ：
【００６９】
【化１８】
2008509415.tif 000016
【００７０】
の化合物であり、
式中
ｎは、１又は２であり；
ｍは、０又は１であり；
Ｘ０は、−［ＣＨ２］ｈ−Ｘ又は−ＣＨ＝ＣＨ２であり；
ｈは、２、３、４、５又は６であり；
Ｍ１は、ｎが１であるとき、フェニル、ナフチル、アントラシル、フェナントリル、又はヘテロアリールであり、そのすべてが１つ以上のＣ１〜Ｃ１８アルキル、Ｃ１〜Ｃ８ハロアルキル、Ｃ３〜Ｃ３０シクロアルキル；１つ以上の−Ｏ−、−Ｓ−、−ＮＭ２３−、−Ｏ（ＣＯ）−、若しくは−ＮＭ２３（ＣＯ）−で中断されているＣ３〜Ｃ３０シクロアルキルで場合により置換され；あるいはハロゲン、−ＮＯ２、−ＣＮ、−Ａｒ１、−（ＣＯ）Ｍ１９、−（ＣＯ）ＯＭ２０、−（ＣＯ）ＮＭ２１Ｍ２２、−Ｏ（ＣＯ）Ｍ１９、−Ｏ（ＣＯ）ＯＭ２０、−Ｏ（ＣＯ）ＮＭ２１Ｍ２２、−ＮＭ２３（ＣＯ）Ｍ１９、−ＮＭ２３（ＣＯ）ＯＭ２０、−ＯＭ２０、−ＮＭ２１Ｍ２２、−ＳＭ２３、−ＳＯＭ１９、−ＳＯ２Ｍ１９、及び／又は−ＯＳＯ２Ｍ１９で置換され、場合により置換基−（ＣＯ）Ｍ１９、−（ＣＯ）ＯＭ２０、−（ＣＯ）ＮＭ２１Ｍ２２、−Ｏ（ＣＯ）Ｍ１９、−Ｏ（ＣＯ）ＯＭ２０、−Ｏ（ＣＯ）ＮＭ２１Ｍ２２、−ＮＭ２３（ＣＯ）Ｍ１９、−ＮＭ２３（ＣＯ）ＯＭ２０、−ＯＭ２０、−ＮＭ２１Ｍ２２、−ＳＭ２３、−ＳＯＭ１９、−ＳＯ２Ｍ１９、及び／又は−ＯＳＯ２Ｍ１９が、基Ｍ１９、Ｍ２０、Ｍ２１、Ｍ２２、及び／又はＭ２３を介して、フェニル、ナフチル、アントラシル、フェナントリル、又はヘテロアリール環の更なる置換基と共に、あるいはフェニル、ナフチル、アントラシル、フェナントリル、又はヘテロアリール環の炭素原子の１つと共に５、６又は７員環を形成し；
あるいはＭ１は水素であるが、但しＭ２が同時に水素でなく； 
あるいはＭ１は、Ｃ１〜Ｃ１８アルキルであり；あるいは１つ以上のＣ３〜Ｃ３０シクロアルキレン、−Ｏ−、−Ｓ−、−ＮＭ２３−、−（ＣＯ）−、−Ｏ（ＣＯ）−、−Ｓ（ＣＯ）−、−ＮＭ２３（ＣＯ）−、−ＳＯ−、−ＳＯ２−又は−ＯＳＯ２−で中断されているＣ２〜Ｃ１８アルキルであり；場合により基Ｃ１〜Ｃ１８アルキルならびにＣ２〜Ｃ１８アルキルは、１つ以上のＣ１〜Ｃ８ハロアルキル、Ｃ３〜Ｃ３０シクロアルキル、ハロゲン、−ＮＯ２、−ＣＮ、−Ａｒ１、−（ＣＯ）Ｍ１９、−（ＣＯ）ＯＭ２０、−（ＣＯ）ＮＭ２１Ｍ２２、−Ｏ（ＣＯ）Ｍ１９、−Ｏ（ＣＯ）ＯＭ２０、−Ｏ（ＣＯ）ＮＭ２１Ｍ２２、−ＮＭ２３（ＣＯ）Ｍ１９、−ＮＭ２３（ＣＯ）ＯＭ２０、−ＯＭ２０、−ＮＭ２１Ｍ２２、−ＳＭ２３、−ＳＯＭ１９、−ＳＯ２Ｍ１９、及び／又は−ＯＳＯ２Ｍ１９で置換され；
あるいはＭ１は、１つ以上の−Ｏ−、−Ｓ−、−ＮＭ２３−、−（ＣＯ）−、−Ｏ（ＣＯ）−、又は−ＮＭ２３（ＣＯ）−で場合により中断され、そして１つ以上のＣ１〜Ｃ１８アルキル、Ｃ１〜Ｃ８ハロアルキル、Ｃ３〜Ｃ３０シクロアルキル、ハロゲン、−ＮＯ２、−ＣＮ、−Ａｒ１、−（ＣＯ）Ｍ１９、−（ＣＯ）ＯＭ２０、−（ＣＯ）ＮＭ２１Ｍ２２、−Ｏ（ＣＯ）Ｍ１９、−Ｏ（ＣＯ）ＯＭ２０、−Ｏ（ＣＯ）ＮＭ２１Ｍ２２、−ＮＭ２３（ＣＯ）Ｍ１９、−ＮＭ２３（ＣＯ）ＯＭ２０、−ＯＭ２０、−ＮＭ２１Ｍ２２、−ＳＭ２３、−ＳＯＭ１９、−ＳＯ２Ｍ１９、及び／又は−ＯＳＯ２Ｍ１９で置換されたＣ３〜Ｃ３０シクロアルキルであり；
あるいはＭ１は、Ｃ１〜Ｃ８ハロアルキル、Ｃ２〜Ｃ１２アルケニル、Ｃ４〜Ｃ３０シクロアルケニル、カンファリルであり；
あるいはｍが０の場合、Ｍ１は、更に、ＣＮ、Ｃ２〜Ｃ６アルコキシカルボニル又はフェノキシカルボニルであり、ここでＣ２〜Ｃ６アルコキシカルボニル及びフェノキシカルボニルは、場合により１つ以上のＣ１〜Ｃ１８アルキル、Ｃ１〜Ｃ８ハロアルキル、Ｃ３〜Ｃ３０シクロアルキルで置換され；１つ以上の−Ｏ−、−Ｓ−、−ＮＭ２３−、−Ｏ（ＣＯ）−又は−ＮＭ２３（ＣＯ）−で中断されているＣ３〜Ｃ３０シクロアルキルであり；あるいはハロゲン、−ＮＯ２、−ＣＮ、−Ａｒ１、−（ＣＯ）Ｍ１９、−（ＣＯ）ＯＭ２０、−（ＣＯ）ＮＭ２１Ｍ２２、−Ｏ（ＣＯ）Ｍ１９、−Ｏ（ＣＯ）ＯＭ２０、−Ｏ（ＣＯ）ＮＭ２１Ｍ２２、−ＮＭ２３（ＣＯ）Ｍ１９、−ＮＭ２３（ＣＯ）ＯＭ２０、−ＯＭ２０、−ＮＭ２１Ｍ２２、−ＳＭ２３、−ＳＯＭ１９、−ＳＯ２Ｍ１９、及び／又は−ＯＳＯ２Ｍ１９で置換され；
Ｍ１は、ｎが２であるとき、フェニレン、ナフチレン、
【００７１】
【化１９】
2008509415.tif 000017
【００７２】
、ジフェニレン、オキシジフェニレン、又は
【００７３】
【化２０】
2008509415.tif 000018
【００７４】
であり、これらの基は、非置換であるか、又は１つ以上のＣ１〜Ｃ１８アルキル、Ｃ１〜Ｃ８ハロアルキル、Ｃ３〜Ｃ３０シクロアルキル、ハロゲン、−ＮＯ２、−ＣＮ、−Ａｒ１、−（ＣＯ）Ｍ１９、−（ＣＯ）ＯＭ２０、−（ＣＯ）ＮＭ２１Ｍ２２、−Ｏ（ＣＯ）Ｍ１９、−Ｏ（ＣＯ）ＯＭ２０、−Ｏ（ＣＯ）ＮＭ２１Ｍ２２、−ＮＭ２３（ＣＯ）Ｍ１９、−ＮＭ２３（ＣＯ）ＯＭ２０、−ＯＭ２０、−ＮＭ２１Ｍ２２、−ＳＭ２３、−ＳＯＭ１９、−ＳＯ２Ｍ１９、及び／又は−ＯＳＯ２Ｍ１９で置換され、
あるいはＭ１は、直接結合、
【００７５】
【化２１】
2008509415.tif 000019
【００７６】
であり、式中、すべての基Ｍ１は、水素及び直接結合を除いて、酸の作用時に開裂する−Ｏ−Ｃ−結合又は−Ｏ−Ｓｉ−結合を有する基で更に置換されることができ、
Ａ１は、直接結合、Ｃ１〜Ｃ１８アルキレン、−Ｏ−、−Ｓ−、−ＮＭ２３−、−Ｏ（ＣＯ）−、−Ｓ（ＣＯ）−、−ＮＭ２３（ＣＯ）−、−ＳＯ−、−ＳＯ２−又は−ＯＳＯ２−であり；
Ａ２は、直接結合、Ｃ１〜Ｃ１８アルキレンであり；あるいは１つ以上のＣ３〜Ｃ３０シクロアルキレン、−Ｏ−、−Ｓ−、−ＮＭ２３−、−（ＣＯ）−、−Ｏ（ＣＯ）−、−Ｓ（ＣＯ）−、−ＮＭ２３（ＣＯ）−、−ＳＯ−、−ＳＯ２−、−ＯＳＯ２−又は−Ａｒ２−で中断されているＣ２〜Ｃ１８アルキレンであり；場合により基Ｃ１〜Ｃ１８アルキレン及びＣ２〜Ｃ１８アルキレンは、１つ以上のＣ１〜Ｃ８ハロアルキル、Ｃ３〜Ｃ３０シクロアルキル、ハロゲン、−ＮＯ２、−ＣＮ、−Ａｒ１、−（ＣＯ）Ｍ１９、−（ＣＯ）ＯＭ２０、−（ＣＯ）ＮＭ２１Ｍ２２、−Ｏ（ＣＯ）Ｍ１９、−Ｏ（ＣＯ）ＯＭ２０、−Ｏ（ＣＯ）ＮＭ２１Ｍ２２、−ＮＭ２３（ＣＯ）Ｍ１９、−ＮＭ２３（ＣＯ）ＯＭ２０、−ＯＭ２０、−ＮＭ２１Ｍ２２、−ＳＭ２３、−ＳＯＭ１９、−ＳＯ２Ｍ１９、及び／又は−ＯＳＯ２Ｍ１９で置換され；
あるいはＡ２は、１つ以上の−Ｏ−、−Ｓ−、−ＮＭ２３−、−（ＣＯ）−、−Ｏ（ＣＯ）−、又は−ＮＭ２３（ＣＯ）−で場合により中断され、そして非置換であるか、又は１つ以上のＣ１〜Ｃ１８アルキル、Ｃ１〜Ｃ８ハロアルキル、Ｃ３〜Ｃ３０シクロアルキル、ハロゲン、−ＮＯ２、−ＣＮ、−Ａｒ１、−（ＣＯ）Ｍ１９、−（ＣＯ）ＯＭ２０、−（ＣＯ）ＮＭ２１Ｍ２２、−Ｏ（ＣＯ）Ｍ１９、−Ｏ（ＣＯ）ＯＭ２０、−Ｏ（ＣＯ）ＮＭ２１Ｍ２２、−ＮＭ２３（ＣＯ）Ｍ１９、−ＮＭ２３（ＣＯ）ＯＭ２０、−ＯＭ２０、−ＮＭ２１Ｍ２２、−ＳＭ２３、−ＳＯＭ１９、−ＳＯ２Ｍ１９、及び／若しくは−ＯＳＯ２Ｍ１９で置換されたＣ３〜Ｃ３０シクロアルキレンであり；
あるいはＡ２は、フェニレン、ナフチレンであり、ここでこれらの基は、場合により１つ以上のＣ１〜Ｃ１８アルキル、Ｃ１〜Ｃ８ハロアルキル、Ｃ３〜Ｃ３０シクロアルキル、ハロゲン、−ＮＯ２、−ＣＮ、−Ａｒ１、−（ＣＯ）Ｍ１９、−（ＣＯ）ＯＭ２０、−（ＣＯ）ＮＭ２１Ｍ２２、−Ｏ（ＣＯ）Ｍ１９、−Ｏ（ＣＯ）ＯＭ２０、−Ｏ（ＣＯ）ＮＭ２１Ｍ２２、−ＮＭ２３（ＣＯ）Ｍ１９、−ＮＭ２３（ＣＯ）ＯＭ２０、−ＯＭ２０、−ＮＭ２１Ｍ２２、−ＳＭ２３、−ＳＯＭ１９、−ＳＯ２Ｍ１９、及び／又は−ＯＳＯ２Ｍ１９で置換され；
Ｍ２は、Ｍ１の意味の１つを有するか、あるいはＣ２〜Ｃ１８アルカノイルであり；非置換であるか、又は１つ以上のＣ１〜Ｃ１８アルキル、Ｃ１〜Ｃ８ハロアルキル、Ｃ３〜Ｃ３０シクロアルキル、ハロゲン、−ＮＯ２、−ＣＮ、−Ａｒ１、−（ＣＯ）Ｍ１９、−（ＣＯ）ＯＭ２０、−（ＣＯ）ＮＭ２１Ｍ２２、−Ｏ（ＣＯ）Ｍ１９、−Ｏ（ＣＯ）ＯＭ２０、−Ｏ（ＣＯ）ＮＭ２１Ｍ２２、−ＮＭ２３（ＣＯ）Ｍ１９、−ＮＭ２３（ＣＯ）ＯＭ２０、−ＯＭ２０、−ＮＭ２１Ｍ２２、−ＳＭ２３、−ＳＯＭ１９、−ＳＯ２Ｍ１９、及び／又は−ＯＳＯ２Ｍ１９で置換されたベンゾイルであり；
あるいはＭ２は、ＮＯ２であり；あるいはＭ２は、Ｓ（Ｏ）ｐＣ１〜Ｃ１８アルキル、Ｓ（Ｏ）ｐ−Ｃ６〜Ｃ１２アリール、ＳＯ２Ｏ−Ｃ１〜Ｃ１８アルキル、ＳＯ２Ｏ−Ｃ６〜Ｃ１０アリール、ジフェニル−ホスフィノイルであり、そのすべてが場合により１つ以上のＣ１〜Ｃ１８アルキル、Ｃ１〜Ｃ８ハロアルキル、Ｃ３〜Ｃ３０シクロアルキル；１つ以上の−Ｏ−、−Ｓ−、−ＮＭ２３−、−Ｏ（ＣＯ）−、又は−ＮＭ２３（ＣＯ）−で中断されているＣ３〜Ｃ３０シクロアルキルで置換され；あるいはハロゲン、−ＮＯ２、−ＣＮ、−Ａｒ１、−（ＣＯ）Ｍ１９、−（ＣＯ）ＯＭ２０、−（ＣＯ）ＮＭ２１Ｍ２２、−Ｏ（ＣＯ）Ｍ１９、−Ｏ（ＣＯ）ＯＭ２０、−Ｏ（ＣＯ）ＮＭ２１Ｍ２２、−ＮＭ２３（ＣＯ）Ｍ１９、−ＮＭ２３（ＣＯ）ＯＭ２０、−ＯＭ２０、−ＮＭ２１Ｍ２２、−ＳＭ２３、−ＳＯＭ１９、−ＳＯ２Ｍ１９、及び／又は−ＯＳＯ２Ｍ１９によって置換され；
あるいはＭ１及びＭ２は、一緒になって、非置換であるか、又は１つ以上のＣ１〜Ｃ１８アルキル、Ｃ１〜Ｃ８ハロアルキル、Ｃ３〜Ｃ３０シクロアルキル；１つ以上の−Ｏ−、−Ｓ−、−ＮＭ２３−、−Ｏ（ＣＯ）−、又は−ＮＭ２３（ＣＯ）−で中断されているＣ３〜Ｃ３０シクロアルキルで置換され；あるいはハロゲン、−ＮＯ２、−ＣＮ、−Ａｒ１、−（ＣＯ）Ｍ１９、−（ＣＯ）ＯＭ２０、−（ＣＯ）ＮＭ２１Ｍ２２、−Ｏ（ＣＯ）Ｍ１９、−Ｏ（ＣＯ）ＯＭ２０、−Ｏ（ＣＯ）ＮＭ２１Ｍ２２、−ＮＭ２３（ＣＯ）Ｍ１９、−ＮＭ２３（ＣＯ）ＯＭ２０、−ＯＭ２０、−ＮＭ２１Ｍ２２、−ＳＭ２３、−ＳＯＭ１９、−ＳＯ２Ｍ１９、及び／又は−ＯＳＯ２Ｍ１９によって置換された、５、６又は７員環を形成し；そして前記５、６又は７員環は更に、Ｃ１〜Ｃ１８アルキレン、Ｃ３〜Ｃ３０シクロアルキレン、Ｃ１〜Ｃ８ハロアルキレン、Ｃ２〜Ｃ１２アルキレン、Ｃ４〜Ｃ３０シクロアルケニレン、フェニレン、ナフタレン、−Ｏ−、−Ｓ−、−ＮＭ２３−、−（ＣＯ）−、−Ｏ（ＣＯ）−、−ＮＭ２３（ＣＯ）−、−Ｓ（ＣＯ）−、−ＳＯ−、−ＳＯ２−、又は−ＯＳＯ２−で中断され、そして前記５、６、又は７員環には場合により、１つ以上のベンゾ基が結合し；
ｐは、１又は２であり；
Ｘは、−Ｏ（ＣＯ）Ｍ２４、−Ｏ（ＣＯ）ＯＭ２０、−Ｏ（ＣＯ）ＮＭ２１Ｍ２２、−ＮＭ２３（ＣＯ）Ｍ２４、−ＮＭ２３（ＣＯ）ＯＭ２０、−ＯＭ２０、−ＮＭ２１Ｍ２２、
【００７７】
【化２２】
2008509415.tif 000020
【００７８】
−ＳＭ２３、−ＳＯＭ１９、−ＳＯ２Ｍ１９、−ＯＳＯ２Ｍ１９、又は基
【００７９】
【化２３】
2008509415.tif 000021
【００８０】
であり；
Ｘ’は、
【００８１】
【化２４】
2008509415.tif 000022
【００８２】
であり；
Ｘ１及びＸ２は、互いに独立して、−Ｏ（ＣＯ）−、−Ｏ（ＣＯ）Ｏ−、−Ｏ（ＣＯ）ＮＭ２３−、−ＮＭ２３（ＣＯ）−、−ＮＭ２３（ＣＯ）Ｏ−、−Ｏ−、−ＮＭ２３−、−Ｓ−、−ＳＯ−、−ＳＯ２−、−ＯＳＯ２−、
【００８３】
【化２５】
2008509415.tif 000023
【００８４】
であり；
あるいはＸ１及びＸ２は、直接結合であるが、但し、Ｘ１及びＸ２が両方とも同時に直接結合ではなく；
Ａ３は、フェニレン、ナフチレン、
【００８５】
【化２６】
2008509415.tif 000024
【００８６】
、ジフェニレン、オキシジフェニレン又は
【００８７】
【化２７】
2008509415.tif 000025
【００８８】
であり、式中、これらの基は、非置換であるか、又は１つ以上のＣ１〜Ｃ１８アルキル、Ｃ１〜Ｃ８ハロアルキル、Ｃ３〜Ｃ３０シクロアルキル、ハロゲン、−ＮＯ２、−ＣＮ、−Ａｒ１、−（ＣＯ）Ｍ１９、−（ＣＯ）ＯＭ２０、−（ＣＯ）ＮＭ２１Ｍ２２、−Ｏ（ＣＯ）Ｍ１９、−Ｏ（ＣＯ）ＯＭ２０、−Ｏ（ＣＯ）ＮＭ２１Ｍ２２、−ＮＭ２３（ＣＯ）Ｍ１９、−ＮＭ２３（ＣＯ）ＯＭ２０、−ＯＭ２０、−ＮＭ２１Ｍ２２、−ＳＭ２３、−ＳＯＭ１９、−ＳＯ２Ｍ１９及び／又は−ＯＳＯ２Ｍ１９で置換され、
あるいはＡ３は、直接結合、
【００８９】
【化２８】
2008509415.tif 000026
【００９０】
であり；
Ｍ３は、Ｍ１に与えた意味の１つを有するか；あるいはＭ３は、Ｃ２〜Ｃ１８アルカノイル；場合により１つ以上のＣ１〜Ｃ１８アルキル、Ｃ１〜Ｃ８ハロアルキル、Ｃ３〜Ｃ３０シクロアルキル、ハロゲン、−ＮＯ２、−ＣＮ、−Ａｒ１、−（ＣＯ）Ｍ１９、−（ＣＯ）ＯＭ２０、−（ＣＯ）ＮＭ２１Ｍ２２、−Ｏ（ＣＯ）Ｍ１９、−Ｏ（ＣＯ）ＯＭ２０、−Ｏ（ＣＯ）ＮＭ２１Ｍ２２、−ＮＭ２３（ＣＯ）Ｍ１９、−ＮＭ２３（ＣＯ）ＯＭ２０、−ＯＭ２０、−ＮＭ２１Ｍ２２、−ＳＭ２３、−ＳＯＭ１９、−ＳＯ２Ｍ１９及び／又は−ＯＳＯ２Ｍ１９で置換されたベンゾイルであり、
あるいはＭ３は、ＮＯ２であり；あるいはＭ３は、Ｓ（Ｏ）ｐＣ１〜Ｃ１８アルキル、Ｓ（Ｏ）ｐ−Ｃ６〜Ｃ１２アリール、ＳＯ２Ｏ−Ｃ１〜Ｃ１８アルキル、ＳＯ２Ｏ−Ｃ６〜Ｃ１０アリール、ジフェニル−ホスフィノイルであり、そのすべてが場合により１つ以上のＣ１〜Ｃ１８アルキル、Ｃ１〜Ｃ８ハロアルキル，Ｃ３〜Ｃ３０シクロアルキル；１つ以上の−Ｏ−、−Ｓ−、−ＮＭ２３−、−Ｏ（ＣＯ）−、又は−ＮＭ２３（ＣＯ）−で中断されているＣ３〜Ｃ３０シクロアルキルで置換され；あるいはハロゲン、−ＮＯ２、−ＣＮ、−Ａｒ１、−（ＣＯ）Ｍ１９、−（ＣＯ）ＯＭ２０、−（ＣＯ）ＮＭ２１Ｍ２２、−Ｏ（ＣＯ）Ｍ１９、−Ｏ（ＣＯ）ＯＭ２０、−Ｏ（ＣＯ）ＮＭ２１Ｍ２２、−ＮＭ２３（ＣＯ）Ｍ１９、−ＮＭ２３（ＣＯ）ＯＭ２０、−ＯＭ２０、−ＮＭ２１Ｍ２２、−ＳＭ２３、−ＳＯＭ１９、−ＳＯ２Ｍ１９及び／又は−ＯＳＯ２Ｍ１９で置換され；
Ｍ４は、Ｍ２に与えた意味の１つを有し、あるいはＭ３及びＭ４は、一緒になって、１つ以上のＣ１〜Ｃ１８アルキル、Ｃ１〜Ｃ８ハロアルキル、Ｃ３〜Ｃ３０シクロアルキル；１つ以上の−Ｏ−、−Ｓ−、−ＮＭ２３−、−Ｏ（ＣＯ）−、又は−ＮＭ２３（ＣＯ）−で中断されているＣ３〜Ｃ３０シクロアルキルで場合により置換された５、６又は７員環を形成し；あるいは前記５、６又は７員環は、ハロゲン、−ＮＯ２、−ＣＮ、−Ａｒ１、−（ＣＯ）Ｍ１９、−（ＣＯ）ＯＭ２０、−（ＣＯ）ＮＭ２１Ｍ２２、−Ｏ（ＣＯ）Ｍ１９、−Ｏ（ＣＯ）ＯＭ２０、−Ｏ（ＣＯ）ＮＭ２１Ｍ２２、−ＮＭ２３（ＣＯ）Ｍ１９、−ＮＭ２３（ＣＯ）ＯＭ２０、−ＯＭ２０、−ＮＭ２１Ｍ２２、−ＳＭ２３、−ＳＯＭ１９、−ＳＯ２Ｍ１９及び／又は−ＯＳＯ２Ｍ１９で置換され；そして前記５、６又は７員環は、場合により更にＣ１〜１８アルキレン、Ｃ３〜Ｃ３０シクロアルキレン、Ｃ１〜Ｃ８ハロアルキレン、Ｃ２〜Ｃ１２アルケニレン、Ｃ４〜Ｃ３０シクロアルケニレン、フェニレン、ナフタレン、−Ｏ−、−Ｓ−、−ＮＭ２３−、−（ＣＯ）−、−Ｏ（ＣＯ）−、−ＮＭ２３（ＣＯ）−、−Ｓ（ＣＯ）−、−ＳＯ−、−ＳＯ２−、又は−ＯＳＯ２−で中断され；そして場合により１つ以上のベンゾ基が、前記５、６又は７員環に結合し；
Ｍ５及びＭ６は、互いに独立して、水素、Ｃ１〜Ｃ１８アルキル、Ｃ１〜Ｃ８ハロアルキル、Ｃ３〜Ｃ３０シクロアルキル；１つ以上の−Ｏ−、−Ｓ−、−ＮＭ２３−、−Ｏ（ＣＯ）−、又は−ＮＭ２３（ＣＯ）−で中断されているＣ３〜Ｃ３０シクロアルキルであり、あるいはＭ５及びＭ６は、ハロゲン、−ＮＯ２、−ＣＮ、−Ａｒ１、−（ＣＯ）Ｍ１９、−（ＣＯ）ＯＭ２０、−（ＣＯ）ＮＭ２１Ｍ２２、−Ｏ（ＣＯ）Ｍ１９、−Ｏ（ＣＯ）ＯＭ２０、−Ｏ（ＣＯ）ＮＭ２１Ｍ２２、−ＮＭ２３（ＣＯ）Ｍ１９、−ＮＭ２３（ＣＯ）ＯＭ２０、−ＯＭ２０、−ＮＭ２１Ｍ２２、−ＳＭ２３、−ＳＯＭ１９、−ＳＯ２Ｍ１９及び／又は−ＯＳＯ２Ｍ１９であり；
あるいはＭ５及びＭ６は、一緒になって、−Ｃ（Ｍ３０）＝Ｃ（Ｍ３１）−Ｃ（Ｍ３２）＝Ｃ（Ｍ３３）−又は−（ＣＯ）ＮＭ２３（ＣＯ）−であり；
Ｇは、−Ｓ−、−Ｏ−、−ＮＭ２３−、又は式Ｚ１、Ｚ２、Ｚ３又はＺ４
【００９１】
【化２９】
2008509415.tif 000027
【００９２】
の基であり、
Ｍ７は、ｎが１であるとき、フェニル、ナフチル、アントラシル、フェナントリル、又はヘテロアリールであり、そのすべてが１つ以上のＣ１〜Ｃ１８アルキル、Ｃ１〜Ｃ８ハロアルキル、Ｃ３〜Ｃ３０シクロアルキル；１つ以上の−Ｏ−、−Ｓ−、−ＮＭ２３−、−Ｏ（ＣＯ）−又は−ＮＭ２３（ＣＯ）−で中断されているＣ３〜Ｃ３０シクロアルキルで場合により置換され；あるいはハロゲン、−ＮＯ２、−ＣＮ、−Ａｒ１、−（ＣＯ）Ｍ１９、−（ＣＯ）ＯＭ２０、−（ＣＯ）ＮＭ２１Ｍ２２、−Ｏ（ＣＯ）Ｍ１９、−Ｏ（ＣＯ）ＯＭ２０、−Ｏ（ＣＯ）ＮＭ２１Ｍ２２、−ＮＭ２３（ＣＯ）Ｍ１９、−ＮＭ２３（ＣＯ）ＯＭ２０、−ＯＭ２０、−ＮＭ２１Ｍ２２、−ＳＭ２３、−ＳＯＭ１９、−ＳＯ２Ｍ１９及び／又は−ＯＳＯ２Ｍ１９で置換され、場合により置換基−（ＣＯ）Ｍ１９、−（ＣＯ）ＯＭ２０、−（ＣＯ）ＮＭ２１Ｍ２２、−Ｏ（ＣＯ）Ｍ１９、−Ｏ（ＣＯ）ＯＭ２０、−Ｏ（ＣＯ）ＮＭ２１Ｍ２２、−ＮＭ２３（ＣＯ）Ｍ１９、−ＮＭ２３（ＣＯ）ＯＭ２０、−ＯＭ２０、−ＮＭ２１Ｍ２２、−ＳＭ２３、−ＳＯＭ１９、−ＳＯ２Ｍ１９ならびに／又は−ＯＳＯ２Ｍ１９が、基Ｍ１９、Ｍ２０、Ｍ２１、Ｍ２２及び／若しくはＭ２３を介して、フェニル、ナフチル、アントラシル、フェナントリル、若しくはヘテロアリール環の更なる置換基と共に、若しくはフェニル、ナフチル、アントラシル、フェナントリル、又はヘテロアリール環の炭素原子の１つと共に５、６、又は７員環を形成し；
あるいはＭ７は、Ｃ１〜Ｃ１８アルキルであり；あるいは１つ以上のＣ３〜Ｃ３０シクロアルキレン、−Ｏ−、−Ｓ−、−ＮＭ２３−、−（ＣＯ）−、−Ｏ（ＣＯ）−、−Ｓ（ＣＯ）−、−ＮＭ２３（ＣＯ）−、−ＳＯ−、−ＳＯ２−、又は−ＯＳＯ２−で中断されているＣ２〜Ｃ１８アルキルであり；場合により基Ｃ１〜Ｃ１８アルキルならびにＣ２〜Ｃ１８アルキルは、１つ以上のＣ１〜Ｃ８ハロアルキル、Ｃ３〜Ｃ３０シクロアルキル、ハロゲン、−ＮＯ２、−ＣＮ、−Ａｒ１、−（ＣＯ）Ｍ１９、−（ＣＯ）ＯＭ２０、−（ＣＯ）ＮＭ２１Ｍ２２、−Ｏ（ＣＯ）Ｍ１９、−Ｏ（ＣＯ）ＯＭ２０、−Ｏ（ＣＯ）ＮＭ２１Ｍ２２、−ＮＭ２３（ＣＯ）Ｍ１９、−ＮＭ２３（ＣＯ）ＯＭ２０、−ＯＭ２０、−ＮＭ２１Ｍ２２、−ＳＭ２３、−ＳＯＭ１９、−ＳＯ２Ｍ１９、及び／又は−ＯＳＯ２Ｍ１９で置換され；
あるいはＭ７は、１つ以上の−Ｏ−、−Ｓ−、−ＮＭ２３−、−（ＣＯ）−、−Ｏ（ＣＯ）−、又は−ＮＭ２３（ＣＯ）−で場合により中断され、そして１つ以上のＣ１〜Ｃ１８アルキル、Ｃ１〜Ｃ８ハロアルキル、Ｃ３〜Ｃ３０シクロアルキル、ハロゲン、−ＮＯ２、−ＣＮ、−Ａｒ１、−（ＣＯ）Ｍ１９、−（ＣＯ）ＯＭ２０、−（ＣＯ）ＮＭ２１Ｍ２２、−Ｏ（ＣＯ）Ｍ１９、−Ｏ（ＣＯ）ＯＭ２０、−Ｏ（ＣＯ）ＮＭ２１Ｍ２２、−ＮＭ２３（ＣＯ）Ｍ１９、−ＮＭ２３（ＣＯ）ＯＭ２０、−ＯＭ２０、−ＮＭ２１Ｍ２２、−ＳＭ２３、−ＳＯＭ１９、−ＳＯ２Ｍ１９、及び／又は−ＯＳＯ２Ｍ１９で場合により置換されたＣ３〜Ｃ３０シクロアルキルであり；
あるいはＭ７は水素、Ｃ１〜Ｃ８ハロアルキル、−ＯＭ２０、−ＮＭ２１Ｍ２２、−ＮＭ２３（ＣＯ）Ｍ１９、−ＳＭ２３、Ｃ２〜Ｃ１２アルケニル、Ｃ４〜Ｃ３０シクロアルケニル、カンファリルであり；そして
Ｍ７は、ｎが２であるとき、フェニレン、ナフチレン、
【００９３】
【化３０】
2008509415.tif 000028
【００９４】
、ジフェニレン、オキシジフェニレン又は
【００９５】
【化３１】
2008509415.tif 000029
【００９６】
であり、式中、これらの基は、１つ以上のＣ１〜Ｃ１８アルキル、Ｃ１〜Ｃ８ハロアルキル、Ｃ３〜Ｃ３０シクロアルキル、ハロゲン、−ＮＯ２、−ＣＮ、−Ａｒ１、−（ＣＯ）Ｍ１９、−（ＣＯ）ＯＭ２０、−（ＣＯ）ＮＭ２１Ｍ２２、−Ｏ（ＣＯ）Ｍ１９、−Ｏ（ＣＯ）ＯＭ２０、−Ｏ（ＣＯ）ＮＭ２１Ｍ２２、−ＮＭ２３（ＣＯ）Ｍ１９、−ＮＭ２３（ＣＯ）ＯＭ２０、−ＯＭ２０、−ＮＭ２１Ｍ２２、−ＳＭ２３、−ＳＯＭ１９、−ＳＯ２Ｍ１９、及び／又は−ＯＳＯ２Ｍ１９で場合により置換され、
あるいはＭ７は、直接結合、
【００９７】
【化３２】
2008509415.tif 000030
【００９８】
であり、
式中、すべての基Ｍ７は、水素及び直接結合を除いて、酸の作用時に開裂する−Ｏ−Ｃ−結合又は−Ｏ−Ｓｉ−結合を有する基で場合により更に置換され；
Ａ４は、直接結合、Ｃ１〜Ｃ１８アルキレン、−Ｏ−、−Ｓ−又は−ＮＭ２３−であり；
Ｍ８及びＭ９は、互いに独立して、Ｃ１〜Ｃ１８アルキルであり；あるいは１つ以上のＣ３〜Ｃ３０シクロアルキレン、−Ｏ−、−Ｓ−、−ＮＭ２３−、−（ＣＯ）−、−Ｏ（ＣＯ）−、−Ｓ（ＣＯ）−、−ＮＭ２３（ＣＯ）−、−ＳＯ−、−ＳＯ２−、−ＯＳＯ２−又は−Ａｒ２−で中断されているＣ２〜Ｃ１８アルキルであり；場合により基Ｃ１〜Ｃ１８アルキルならびにＣ２〜Ｃ１８アルキルは、１つ以上のＣ１〜Ｃ８ハロアルキル、Ｃ３〜Ｃ３０シクロアルキル、ハロゲン、−ＮＯ２、−ＣＮ、−Ａｒ１、−（ＣＯ）Ｍ１９、−（ＣＯ）ＯＭ２０、−（ＣＯ）ＮＭ２１Ｍ２２、−Ｏ（ＣＯ）Ｍ１９、−Ｏ（ＣＯ）ＯＭ２０、−Ｏ（ＣＯ）ＮＭ２１Ｍ２２、−ＮＭ２３（ＣＯ）Ｍ１９、−ＮＭ２３（ＣＯ）ＯＭ２０、−ＯＭ２０、−ＮＭ２１Ｍ２２、−ＳＭ２３、−ＳＯＭ１９、−ＳＯ２Ｍ１９及び／又は−ＯＳＯ２Ｍ１９で置換され；
あるいはＭ８及びＭ９は、１つ以上の−Ｏ−、−Ｓ−、−ＮＭ２３−、−（ＣＯ）−、−Ｏ（ＣＯ）−、又は−ＮＭ２３（ＣＯ）−で場合により中断され、そして１つ以上のＣ１〜Ｃ１８アルキル、Ｃ１〜Ｃ８ハロアルキル，Ｃ３〜Ｃ３０シクロアルキル、ハロゲン、−ＮＯ２、−ＣＮ、−Ａｒ１、−（ＣＯ）Ｍ１９、−（ＣＯ）ＯＭ２０、−（ＣＯ）ＮＭ２１Ｍ２２、−Ｏ（ＣＯ）Ｍ１９、−Ｏ（ＣＯ）ＯＭ２０、−Ｏ（ＣＯ）ＮＭ２１Ｍ２２、−ＮＭ２３（ＣＯ）Ｍ１９、−ＮＭ２３（ＣＯ）ＯＭ２０、−ＯＭ２０、−ＮＭ２１Ｍ２２、−ＳＭ２３、−ＳＯＭ１９、−ＳＯ２Ｍ１９及び／又は−ＯＳＯ２Ｍ１９で場合により置換されたＣ３〜Ｃ３０シクロアルキルであり；
あるいはＭ８及びＭ９は、水素、ハロゲン、Ｃ１〜Ｃ８ハロアルキル、−ＮＯ２、−ＣＮ、−Ａｒ１、−（ＣＯ）Ｍ１９、−（ＣＯ）ＯＭ２０、−（ＣＯ）ＮＭ２１Ｍ２２、−Ｏ（ＣＯ）Ｍ１９、−Ｏ（ＣＯ）ＯＭ２０、−Ｏ（ＣＯ）ＮＭ２１Ｍ２２、−ＮＭ２３（ＣＯ）Ｍ１９、−ＮＭ２３（ＣＯ）ＯＭ２０、−ＯＭ２０、−ＮＭ２１Ｍ２２、−ＳＭ２３、−ＳＯＭ１９、−ＳＯ２Ｍ１９及び／又は−ＯＳＯ２Ｍ１９であり；
あるいはＭ８及びＭ９は、適切ならば、Ｃ１〜Ｃ４アルキレン、−Ｏ−、−Ｓ−、−ＮＭ２３−、−（ＣＯ）−、−Ｏ（ＣＯ）−、−ＮＭ２３（ＣＯ）−と一緒になって５、６又は７員環を形成し；
あるいはＭ７及びＭ８は、適切ならば、Ｃ１〜Ｃ３アルキレン、−Ｏ−、−Ｓ−、−ＮＭ２３−、−（ＣＯ）−，−Ｏ（ＣＯ）−、−ＮＭ２３（ＣＯ）−と一緒になって５、６又は７員環を形成し；
Ｍ１０は、Ｍ７に与えた意味の１つを有し；
Ｍ１１は、Ｃ１〜Ｃ１８アルキル；あるいは１つ以上のＣ３〜Ｃ３０シクロアルキレン、−Ｏ−、−Ｓ−、−ＮＭ２３−、−（ＣＯ）−、−Ｏ（ＣＯ）−、−Ｓ（ＣＯ）−、−ＮＭ２３（ＣＯ）−、−ＳＯ−、−ＳＯ２−、−ＯＳＯ２−又は−Ａｒ２−で中断されたＣ２〜Ｃ１８アルキルであり；場合により基Ｃ１〜Ｃ１８アルキルならびにＣ２〜Ｃ１８アルキルは、１つ以上のＣ１〜Ｃ８ハロアルキル、Ｃ３〜Ｃ３０シクロアルキル、ハロゲン、−ＮＯ２、−ＣＮ、−Ａｒ１、−（ＣＯ）Ｍ１９、−（ＣＯ）ＯＭ２０、−（ＣＯ）ＮＭ２１Ｍ２２、−Ｏ（ＣＯ）Ｍ１９、−Ｏ（ＣＯ）ＯＭ２０、−Ｏ（ＣＯ）ＮＭ２１Ｍ２２、−ＮＭ２３（ＣＯ）Ｍ１９、−ＮＭ２３（ＣＯ）ＯＭ２０、−ＯＭ２０、−ＮＭ２１Ｍ２２、−ＳＭ２３、−ＳＯＭ１９、−ＳＯ２Ｍ１９、及び／又は−ＯＳＯ２Ｍ１９で置換され；
あるいはＭ１１は、１つ以上の−Ｏ−、−Ｓ−、−ＮＭ２３−、−（ＣＯ）−、−Ｏ（ＣＯ）−、又は−ＮＭ２３（ＣＯ）−で場合により中断され、そして１つ以上のＣ１〜Ｃ１８アルキル、Ｃ１〜Ｃ８ハロアルキル、Ｃ３〜Ｃ３０シクロアルキル、ハロゲン、−ＮＯ２、−ＣＮ、−Ａｒ１、−（ＣＯ）Ｍ１９、−（ＣＯ）ＯＭ２０、−（ＣＯ）ＮＭ２１Ｍ２２、−Ｏ（ＣＯ）Ｍ１９、−Ｏ（ＣＯ）ＯＭ２０、−Ｏ（ＣＯ）ＮＭ２１Ｍ２２、−ＮＭ２３（ＣＯ）Ｍ１９、−ＮＭ２３（ＣＯ）ＯＭ２０、−ＯＭ２０、−ＮＭ２１Ｍ２２、−ＳＭ２３、−ＳＯＭ１９、−ＳＯ２Ｍ１９及び／又は−ＯＳＯ２Ｍ１９で場合により置換されたＣ３〜Ｃ３０シクロアルキルであり；
あるいはＭ１１は、水素、Ｃ１〜Ｃ８ハロアルキル、−Ａｒ１、−（ＣＯ）Ｍ１９、−（ＣＯ）ＯＭ２０、−（ＣＯ）ＮＭ２１Ｍ２２又は−ＳＯ２Ｍ１９であり；
あるいはＭ１０及びＭ１１は、１つ以上のＣ１〜Ｃ１８アルキル、Ｃ１〜Ｃ８ハロアルキル，Ｃ３〜Ｃ３０シクロアルキル；１つ以上の−Ｏ−、−Ｓ−、−ＮＭ２３−、−Ｏ（ＣＯ）−、又は−ＮＭ２３（ＣＯ）−で中断されているＣ３〜Ｃ３０シクロアルキルで場合により置換された、５、６又は７員環を一緒になって形成し；あるいは前記５、６又は７員環は、ハロゲン、−ＮＯ２、−ＣＮ、−Ａｒ１、−（ＣＯ）Ｍ１９、−（ＣＯ）ＯＭ２０、−（ＣＯ）ＮＭ２１Ｍ２２、−Ｏ（ＣＯ）Ｍ１９、−Ｏ（ＣＯ）ＯＭ２０、−Ｏ（ＣＯ）ＮＭ２１Ｍ２２、−ＮＭ２３（ＣＯ）Ｍ１９、−ＮＭ２３（ＣＯ）ＯＭ２０、−ＯＭ２０、−ＮＭ２１Ｍ２２、−ＳＭ２３、−ＳＯＭ１９、−ＳＯ２Ｍ１９及び／又は−ＯＳＯ２Ｍ１９で置換され；そして前記５、６又は７員環は、Ｃ１〜Ｃ１２アルキレン、Ｃ３〜Ｃ３０シクロアルキレン、Ｃ１〜Ｃ８ハロアルキレン、Ｃ２〜Ｃ１２アルケニレン、Ｃ４〜Ｃ３０シクロアルケニレン、フェニレン、ナフタレン、−Ｏ−、−Ｓ−、−ＮＭ２３−、−（ＣＯ）−、−Ｏ（ＣＯ）−、−ＮＭ２３（ＣＯ）−、−Ｓ（ＣＯ）−、−ＳＯ−、−ＳＯ２−、又は−ＯＳＯ２−によって場合により更に中断され；そして前記５、６又は７員環には、場合により１つ以上のベンゾ基が結合し；
Ｍ１２、Ｍ１３、Ｍ１４及びＭ１５は、互いに独立して、水素、Ｃ１〜Ｃ１８アルキル、Ｃ１〜Ｃ８ハロアルキル、Ｃ３〜Ｃ３０シクロアルキル；１つ以上の−Ｏ−、−Ｓ−、−ＮＭ２３−、−Ｏ（ＣＯ）−、又は−ＮＭ２３（ＣＯ）−で中断されているＣ３〜Ｃ３０シクロアルキルであり；あるいはＭ１２、Ｍ１３、Ｍ１４及びＭ１５は、ハロゲン、−ＮＯ２、−ＣＮ、−Ａｒ１、−（ＣＯ）Ｍ１９、−（ＣＯ）ＯＭ２０、−（ＣＯ）ＮＭ２１Ｍ２２、−Ｏ（ＣＯ）Ｍ１９、−Ｏ（ＣＯ）ＯＭ２０、−Ｏ（ＣＯ）ＮＭ２１Ｍ２２、−ＮＭ２３（ＣＯ）Ｍ１９、−ＮＭ２３（ＣＯ）ＯＭ２０、−ＯＭ２０、−ＮＭ２１Ｍ２２、−ＳＭ２３、−ＳＯＭ１９、−ＳＯ２Ｍ１９及び／又は−ＯＳＯ２Ｍ１９であり；場合により置換基Ｍ１２、Ｍ１３、Ｍ１４及び／又はＭ１５は、基Ｍ１２、Ｍ１３、Ｍ１４及び／又はＭ１５を介して、Ｍ１２、Ｍ１３、Ｍ１４及びＭ１５が結合するフェニルの更なる置換基と一緒になって、又は前記フェニル環の炭素原子の１つと一緒になって５、６又は７員環又は縮合環を形成し；
式中、すべての基Ｍ１２、Ｍ１３、Ｍ１４及び／又はＭ１５は、水素を除いて、酸の作用時に開裂する−Ｏ−Ｃ−結合又は−Ｏ−Ｓｉ−結合を有する基で場合により更に置換され；
Ｍ１６、Ｍ１７及びＭ１８は、互いに独立して、水素、Ｃ１〜Ｃ１８アルキル、Ｃ１〜Ｃ８ハロアルキル、Ｃ３〜Ｃ３０シクロアルキル；１つ以上の−Ｏ−、−Ｓ−、−ＮＭ２３−、−Ｏ（ＣＯ）−、又は−ＮＭ２３（ＣＯ）−で中断されているＣ３〜Ｃ３０シクロアルキルであり；あるいはＭ１６、Ｍ１７及びＭ１８は、ハロゲン、−ＮＯ２、−ＣＮ、−Ａｒ１、−（ＣＯ）Ｍ１９、−（ＣＯ）ＯＭ２０、−（ＣＯ）ＮＭ２１Ｍ２２、−Ｏ（ＣＯ）Ｍ１９、−Ｏ（ＣＯ）ＯＭ２０、−Ｏ（ＣＯ）ＮＭ２１Ｍ２２、−ＮＭ２３（ＣＯ）Ｍ１９、−ＮＭ２３（ＣＯ）ＯＭ２０、−ＯＭ２０、−ＮＭ２１Ｍ２２、−ＳＭ２３、−ＳＯＭ１９、−ＳＯ２Ｍ１９及び／又は−ＯＳＯ２Ｍ１９であり、場合により置換基Ｍ１６、Ｍ１７、及び／又はＭ１８は、基Ｍ１６、Ｍ１７、及び／又はＭ１８を介して、Ｍ１６、Ｍ１７及びＭ１８が結合するフェニル環の更なる置換基と一緒になって、又は前記フェニル環の炭素原子の１つと一緒になって、５、６又は７員環あるいは縮合環を形成し；
式中、すべての基Ｍ１６、Ｍ１７、及び／又はＭ１８は、水素を除いて、酸の作用時に開裂する−Ｏ−Ｃ−結合又は−Ｏ−Ｓｉ−結合を有する基で場合により更に置換され；
Ｍ１９は、フェニル、ナフチル、Ｃ３〜Ｃ３０シクロアルキル、Ｃ１〜Ｃ１８アルキル、Ｃ１〜Ｃ８ハロアルキル、Ｃ２〜Ｃ１２アルケニル、Ｃ４〜Ｃ３０シクロアルケニルであり；あるいは１つ以上の−Ｏ−で中断されているＣ２〜Ｃ１８アルキルであり；あるいは１つ以上の−Ｏ−、−Ｓ−、−ＮＭ２３−、−Ｏ（ＣＯ）−、又は−ＮＭ２３（ＣＯ）−で中断されているＣ３〜Ｃ３０シクロアルキルであり；
そのすべてが１つ以上のＡｒ１、ＯＨ、Ｃ１〜Ｃ１８アルキル、Ｃ１〜Ｃ８ハロアルキル、Ｃ３〜Ｃ３０シクロアルキル、ハロゲン、−ＮＯ２、−ＣＮ、Ｃ１〜Ｃ１２アルコキシ、フェノキシ、フェノキシ−カルボニル、フェニルチオ、フェニルチオカルボニル、−ＮＭ２１Ｍ２２、Ｃ１〜Ｃ１２アルキルチオ、Ｃ１〜Ｃ１２アルコキシ−カルボニル、Ｃ２〜Ｃ８ハロアルカノイル、ハロベンゾイル、Ｃ１〜Ｃ１２アルキルスルホニル、フェニルスルホニル、（４−メチルフェニル）スルホニル、Ｃ１〜Ｃ１２アルキルスルホニルオキシ、フェニルスルホニルオキシ、（４−メチルフェニル）スルホニルオキシ、Ｃ２〜Ｃ１２アルカノイル、Ｃ２〜Ｃ１２アルカノイルオキシ、ベンゾイルで、及び／又はベンゾイルオキシで場合により置換され；
あるいはＭ１９は、水素であり、
Ｍ２０は、フェニル、ナフチル、Ｃ３〜Ｃ３０シクロアルキル、Ｃ１〜Ｃ１８アルキル、Ｃ１〜Ｃ８ハロアルキル、Ｃ２〜Ｃ１２アルケニル、Ｃ４〜Ｃ３０シクロアルケニルであり；あるいは１つ以上の−Ｏ−で中断されているＣ２〜Ｃ１８アルキルであり；あるいは１つ以上の−Ｏ−、−Ｓ−、−ＮＭ２３−、−Ｏ（ＣＯ）−又は−ＮＭ２３（ＣＯ）−で中断されているＣ３〜Ｃ３０シクロアルキルであり；あるいはＣ２〜Ｃ１８アルカノイルであり、あるいはベンゾイルであり、あるいはＣ１〜Ｃ１８アルキルスルホニルであり、そのすべてが１つ以上のＡｒ１、ＯＨ、Ｃ１〜Ｃ１８アルキル、Ｃ１〜Ｃ８ハロアルキル、Ｃ３〜Ｃ３０シクロアルキル、ハロゲン、−ＮＯ２、−ＣＮ、Ｃ１〜Ｃ１２アルコキシ、フェノキシ、フェノキシ−カルボニル、フェニルチオ、フェニルチオカルボニル、−ＮＭ２１Ｍ２２、Ｃ１〜Ｃ１２アルキルチオ、Ｃ２〜Ｃ１２アルコキシ−カルボニル、Ｃ２〜Ｃ８ハロアルカノイル、ハロベンゾイル、Ｃ１〜Ｃ１２アルキルスルホニル、フェニルスルホニル、（４−メチルフェニル）スルホニル、Ｃ１〜Ｃ１２アルキルスルホニルオキシ、フェニルスルホニルオキシ、（４−メチルフェニル）スルホニルオキシ、Ｃ２〜Ｃ１２アルカノイル、Ｃ２〜Ｃ１２アルカノイルオキシ、ベンゾイルで、及び／又はベンゾイルオキシで場合により置換され；
あるいはＭ２０は、水素、フェニルスルホニル、（４−メチルフェニル）スルホニル、ナフチルスルホニル、アントラシルスルホニル又はフェナントリルスルホニルであり；
Ｍ２１、Ｍ２２及びＭ２３は、互いに独立して、フェニル、ナフチル、Ｃ３〜Ｃ３０シクロアルキル、Ｃ１〜Ｃ１８アルキル、Ｃ１〜Ｃ８ハロアルキル、Ｃ２〜Ｃ１２アルケニル、Ｃ４〜Ｃ３０シクロアルケニルであり；あるいは１つ以上の−Ｏ−で中断されているＣ２〜Ｃ１８アルキルであり；あるいは１つ以上の−Ｏ−、−Ｓ−、−ＮＭ２３−、−Ｏ（ＣＯ）−、又は−ＮＭ２３（ＣＯ）−で中断されているＣ３〜Ｃ３０シクロアルキルであり；あるいはＣ２〜Ｃ１８アルカノイル、ベンゾイル、又はＣ１〜Ｃ１８アルキルスルホニルであり、
そのすべてが１つ以上のＡｒ１、ＯＨ、Ｃ１〜Ｃ１８アルキル、Ｃ１〜Ｃ８ハロアルキル、Ｃ３〜Ｃ３０シクロアルキル、ハロゲン、−ＮＯ２、−ＣＮ、Ｃ１〜Ｃ１２アルコキシ、フェノキシ、フェノキシカルボニル、フェニルチオ、フェニルチオカルボニル、−ＮＭ２１Ｍ２２、Ｃ１〜Ｃ１２アルキルチオ、Ｃ２〜Ｃ１２アルコキシカルボニル、Ｃ２〜Ｃ８ハロアルカノイル、ハロベンゾイル、Ｃ１〜Ｃ１２アルキルスルホニル、フェニルスルホニル、（４−メチルフェニル）スルホニル、Ｃ１〜Ｃ１２アルキルスルホニルオキシ、フェニルスルホニルオキシ、（４−メチルフェニル）スルホニルオキシ、Ｃ２〜Ｃ１２アルカノイル、Ｃ２〜Ｃ１２アルカノイルオキシ、ベンゾイルで及び／又はベンゾイルオキシで場合により置換され；
あるいはＭ２１、Ｍ２２及びＭ２３は、互いに独立して、水素、フェニルスルホニル、（４−メチルフェニル）スルホニル、ナフチルスルホニル、アントラシルスルホニル、又はフェナントリルスルホニルであり；
あるいはＭ２１及びＭ２２は、それらが結合する窒素原子と一緒になって、−Ｏ−で、又は−ＮＭ２３−で場合により中断されている５、６、又は７員環を形成し；
Ｍ２４は、フェニル、ナフチル、Ｃ３〜Ｃ３０シクロアルキル、Ｃ１〜Ｃ１８アルキル、Ｃ１〜Ｃ８ハロアルキル、Ｃ４〜Ｃ３０シクロアルケニルであり；あるいは１つ以上の−Ｏ−で中断されているＣ２〜Ｃ１８アルキルであり、あるいは１つ以上の−Ｏ−、−Ｓ−、−ＮＭ２３−、−Ｏ（ＣＯ）−、又は−ＮＭ２３（ＣＯ）−で中断されているＣ３〜Ｃ３０シクロアルキルであり；
そのすべてが非置換又は１つ以上のＡｒ１、ＯＨ、Ｃ１〜Ｃ１８アルキル、Ｃ１〜Ｃ８ハロアルキル、Ｃ３〜Ｃ３０シクロアルキル、ハロゲン、−ＮＯ２、−ＣＮ、Ｃ１〜Ｃ１２アルコキシ、フェノキシ、フェノキシカルボニル、フェニルチオ、フェニルチオカルボニル、−ＮＭ２１Ｍ２２、Ｃ１〜Ｃ１２アルキルチオ、Ｃ１〜Ｃ１２アルコキシカルボニル、Ｃ２〜Ｃ８ハロアルカノイル、ハロベンゾイル、Ｃ１〜Ｃ１２アルキルスルホニル、フェニルスルホニル、（４−メチルフェニル）スルホニル、Ｃ１〜Ｃ１２アルキルスルホニルオキシ、フェニルスルホニルオキシ、（４−メチルフェニル）スルホニルオキシ、Ｃ２〜Ｃ１２アルカノイル、Ｃ２〜Ｃ１２アルカノイルオキシ、ベンゾイルによって、及び／若しくはベンゾイルオキシで置換され；
あるいはＭ２４は、水素であり；
あるいはＭ２３及びＭ２４は、それらが結合するＮ原子と一緒になって、−Ｏ−で場合により中断され、そして１つ以上のベンゾ環によって更に場合により結合される５、６又は７員環を形成し；
Ｍ２５、Ｍ２６及びＭ２７は、互いに独立して、水素であり；あるいはフェニル又はナフチルであり、その両方が１つ以上のＡｒ１、ＯＨ、Ｃ１〜Ｃ１８アルキル、Ｃ１〜Ｃ８ハロアルキル、Ｃ３〜Ｃ３０シクロアルキル、ハロゲン、−ＮＯ２、−ＣＮ、Ｃ１〜Ｃ１２アルコキシ、フェノキシ、フェノキシカルボニル、フェニルチオ、フェニルチオカルボニル、−ＮＭ２１Ｍ２２、Ｃ１〜Ｃ１２アルキルチオ、Ｃ２〜Ｃ１２アルコキシカルボニル、Ｃ２〜Ｃ８ハロアルカノイル、ハロベンゾイル、Ｃ２〜Ｃ１２アルキルスルホニル、フェニルスルホニル、（４−メチルフェニル）スルホニル、Ｃ２〜Ｃ１２アルキルスルホニルオキシ、フェニルスルホニルオキシ、（４−メチルフェニル）スルホニルオキシ、Ｃ１〜Ｃ１２アルカノイル、Ｃ１〜Ｃ１２アルカノイルオキシ、ベンゾイルで及び／又はベンゾイルオキシで場合により置換され；あるいはＭ２５、Ｍ２６及びＭ２７は、Ｃ３〜Ｃ１８アルケニル又はＣ３〜Ｃ１８アルキニルであり；あるいはＭ２５、Ｍ２６及びＭ２７は、Ｃ１〜Ｃ１８アルキル、１つ以上の−Ｏ−で中断されているＣ２〜Ｃ１８アルキルであり、ここで基Ｃ１〜Ｃ１８アルキル及びＣ２〜Ｃ１８アルキルは、１つ以上のＡｒ１、ＯＨ、Ｃ１〜Ｃ１８アルキル、Ｃ１〜Ｃ８ハロアルキル、Ｃ３〜Ｃ３０シクロアルキル、ハロゲン、−ＮＯ２、−ＣＮ、Ｃ１〜Ｃ１２アルコキシ、フェノキシ、フェノキシカルボニル、フェニルチオ、フェニルチオカルボニル、−ＮＭ２１Ｍ２２、Ｃ１〜Ｃ１２アルキルチオ、Ｃ２〜Ｃ１２アルコキシカルボニル、Ｃ２〜Ｃ８ハロアルカノイル、ハロベンゾイル、Ｃ１〜Ｃ１２アルキルスルホニル、フェニルスルホニル、（４−メチルフェニル）−スルホニル、Ｃ１〜Ｃ１２アルキルスルホニルオキシ、フェニルスルホニルオキシ、（４−メチルフェニル）スルホニルオキシ、Ｃ２〜Ｃ１２アルカノイル、Ｃ２〜Ｃ１２アルカノイルオキシ、ベンゾイルで、及び／又はベンゾイルオキシで場合により置換され；あるいはＭ２５及びＭ２６は、適切ならばＣ１〜Ｃ２アルキレン、−Ｏ−、−Ｓ−、又は−ＣＯ−と一緒になって縮合環を形成し；あるいはＭ２５、Ｍ２６及びＭ２７は、適切ならばＣ１〜Ｃ２アルキレン、−Ｏ−、−Ｓ−、又は−ＣＯ−と一緒になって、５、６、又は７員環を形成し；あるいはＭ２５、Ｍ２６及びＭ２７は、それらが結合するＮ＋原子と一緒になって、基
【００９９】
【化３３】
2008509415.tif 000031
【０１００】
を形成し、
Ｍ２８及びＭ２９は、互いに独立して、１つ以上のＡｒ１、ＯＨ、Ｃ１〜Ｃ１８アルキル、Ｃ１〜Ｃ８ハロアルキル、Ｃ３〜Ｃ３０シクロアルキル、ハロゲン、−ＮＯ２、−ＣＮ、Ｃ１〜Ｃ１２アルコキシ、フェノキシ、フェノキシカルボニル、フェニルチオ、フェニルチオカルボニル、−ＮＭ２１Ｍ２２、Ｃ１〜Ｃ１２アルキルチオ、Ｃ２〜Ｃ１２アルコキシカルボニル、Ｃ２〜Ｃ８ハロアルカノイル、ハロベンゾイル、Ｃ１〜Ｃ１２アルキルスルホニル、フェニルスルホニル、（４−メチルフェニル）スルホニル、Ｃ１〜Ｃ１２アルキルスルホニルオキシ、フェニルスルホニルオキシ、（４−メチルフェニル）スルホニルオキシ、Ｃ２〜Ｃ１２アルカノイル、Ｃ２〜Ｃ１２アルカノイルオキシ、ベンゾイルで、及び／又はベンゾイルオキシで場合により置換されるフェニルであり；あるいはＭ２８及びＭ２９は、互いに独立して、Ｃ１〜Ｃ１８アルキル、１つ以上の−Ｏ−で中断されているＣ２〜Ｃ１８アルキルであり、式中、基Ｃ１〜Ｃ１８アルキル及びＣ２〜Ｃ１８アルキルは、１つ以上のＡｒ１、ＯＨ、Ｃ１〜Ｃ１８アルキル、Ｃ１〜Ｃ８ハロアルキル、Ｃ３〜Ｃ３０シクロアルキル、ハロゲン、−ＮＯ２、−ＣＮ、Ｃ１〜Ｃ１２アルコキシ、フェノキシ、フェノキシカルボニル、フェニルチオ、フェニルチオカルボニル、−ＮＭ２１Ｍ２２、Ｃ１〜Ｃ１２アルキルチオ、Ｃ２〜Ｃ１２アルコキシカルボニル、Ｃ２〜Ｃ８ハロアルカノイル、ハロベンゾイル、Ｃ１〜Ｃ１２アルキルスルホニル、フェニルスルホニル、（４−メチルフェニル）スルホニル、Ｃ１〜Ｃ１２アルキルスルホニルオキシ、フェニルスルホニルオキシ、（４−メチルフェニル）スルホニルオキシ、Ｃ２〜Ｃ１２アルカノイル、Ｃ２〜Ｃ１２アルカノイルオキシ、ベンゾイルで、及び／又はベンゾイルオキシで場合により置換され；あるいはＭ２８及びＭ２９は、適切ならばＣ１〜Ｃ２アルキレン、−Ｏ−、−Ｓ−、又は−ＣＯ−と一緒になって縮合環を形成し；あるいはＭ２８及びＭ２９は、適切ならばＣ１〜Ｃ２アルキレン、−Ｏ−、−Ｓ−、又は−ＣＯ−と一緒になって５、６又は７員環を形成し；
Ｍ３０、Ｍ３１、Ｍ３２及びＭ３３は、互いに独立して、水素、ハロゲン、Ｃ１〜Ｃ１８アルキル、Ｃ１〜Ｃ１８アルコキシ、Ｃ１〜Ｃ８ハロアルキル、ＣＮ、ＮＯ２、Ｃ２〜Ｃ１８アルカノイル、ベンゾイル、フェニル、−Ｓ−フェニル、ＯＭ２０、ＳＭ２３、ＮＭ２１Ｍ２２、Ｃ２〜Ｃ６アルコキシカルボニル、フェノキシカルボニル、Ｓ（Ｏ）ｐＣ１〜Ｃ１８アルキル、非置換又はＣ１〜Ｃ１８アルキル置換Ｓ（Ｏ）ｐ−Ｃ６〜Ｃ１２アリール、ＳＯ２Ｏ−Ｃ１〜Ｃ１８アルキル、ＳＯ２Ｏ−Ｃ６〜Ｃ１０アリール又はＮＨＣＯＮＨ２であり；
Ｍ３４及びＭ３５は、互いに独立して、Ｍ５に与えた意味の１つを有し；
あるいはＭ３４及びＭ３５は、一緒になってＣＯ−ＮＭ２３ＣＯ−であり；あるいはＭ３４及びＭ３５は、一緒になって、−Ｃ（Ｍ３０）＝Ｃ（Ｍ３１）−Ｃ（Ｍ３２）＝Ｃ（Ｍ３３）−であり；
Ａｒ１は、フェニル、ナフチル、アントラシル、フェナントリル、又はヘテロアリールであり、
そのすべては、１つ以上のＣ１〜Ｃ１８アルキル、Ｃ１〜Ｃ８ハロアルキル、Ｃ３〜Ｃ３０シクロアルキル；１つ以上の−Ｏ−、−Ｓ−、−ＮＭ２３−、−Ｏ（ＣＯ）−、又は−ＮＭ２３（ＣＯ）−で中断されているＣ３〜Ｃ３０シクロアルキルで場合により置換され；あるいはハロゲン、−ＮＯ２、−ＣＮ、フェニル、−（ＣＯ）Ｍ１９、−（ＣＯ）ＯＭ２０、−（ＣＯ）ＮＭ２１Ｍ２２、−Ｏ（ＣＯ）Ｍ１９、−Ｏ（ＣＯ）ＯＭ２０、−Ｏ（ＣＯ）ＮＭ２１Ｍ２２、−ＮＭ２３（ＣＯ）Ｍ１９、−ＮＭ２３（ＣＯ）ＯＭ２０、−ＯＭ２０、−ＮＭ２１Ｍ２２、−ＳＭ２３、−ＳＯＭ１９、−ＳＯ２Ｍ１９、及び／又は−ＯＳＯ２Ｍ１９で置換され、場合により置換基−（ＣＯ）Ｍ１９、−（ＣＯ）ＯＭ２０、−（ＣＯ）ＮＭ２１Ｍ２２、−Ｏ（ＣＯ）Ｍ１９、−Ｏ（ＣＯ）ＯＭ２０、−Ｏ（ＣＯ）ＮＭ２１Ｍ２２、−ＮＭ２３（ＣＯ）Ｍ１９、−ＮＭ２３（ＣＯ）ＯＭ２０、−ＯＭ２０、−ＮＭ２１Ｍ２２、−ＳＭ２３、−ＳＯＭ１９、−ＳＯ２Ｍ１９、及び／又は−ＯＳＯ２Ｍ１９は、基Ｍ１９、Ｍ２０、Ｍ２１、Ｍ２２、及び／又はＭ２３を介して、フェニル、ナフチル、アントラシル、フェナントリル、又はヘテロアリール環の更なる置換基と共に、あるいはフェニル、ナフチル、アントラシル、フェナントリル、又はヘテロアリール環の炭素環の１つと共に５、６又は７員環を形成し；
Ａｒ２は、フェニレン、ナフチレン、
【０１０１】
【化３４】
2008509415.tif 000032
【０１０２】
、ジフェニレン、オキシジフェニレン又は
【０１０３】
【化３５】
2008509415.tif 000033
【０１０４】
であり、式中、これらの基は場合により１つ以上のＣ１〜Ｃ１８アルキル、Ｃ１〜Ｃ８ハロアルキル、Ｃ３〜Ｃ３０シクロアルキル、ハロゲン、−ＮＯ２、−ＣＮ、−Ａｒ１、−（ＣＯ）Ｍ１９、−（ＣＯ）ＯＭ２０、−（ＣＯ）ＮＭ２１Ｍ２２、−Ｏ（ＣＯ）Ｍ１９、−Ｏ（ＣＯ）ＯＭ２０、−Ｏ（ＣＯ）ＮＭ２１Ｍ２２、−ＮＭ２３（ＣＯ）Ｍ１９、−ＮＭ２３（ＣＯ）ＯＭ２０、−ＯＭ２０、−ＮＭ２１Ｍ２２、−ＳＭ２３、−ＳＯＭ１９、−ＳＯ２Ｍ１９、及び／又は−ＯＳＯ２Ｍ１９によって場合により置換され、場合により置換基−（ＣＯ）Ｍ１９、−（ＣＯ）ＯＭ２０、−（ＣＯ）ＮＭ２１Ｍ２２、−Ｏ（ＣＯ）Ｍ１９、−Ｏ（ＣＯ）ＯＭ２０、−（ＣＯ）ＮＭ２１Ｍ２２、−ＮＭ２３（ＣＯ）Ｍ１９、−ＮＭ２３（ＣＯ）ＯＭ２０、−ＯＭ２０、−ＮＭ２１Ｍ２２、−ＳＭ２３、−ＳＯＭ１９、−ＳＯ２Ｍ１９、及び／又は−ＯＳＯ２Ｍ１９は、基Ｍ１９、Ｍ２０、Ｍ２１、Ｍ２２及び／又はＭ２３を介して、これらの基の更なる置換基と共に、あるいはこれらの基の炭素原子の１つと共に５、６又は７員環を形成し；
Ｎ＋は、
【０１０５】
【化３６】
2008509415.tif 000034
【０１０６】
Ｌｉ＋、Ｎａ＋、Ｋ＋、Ｃｓ＋、１／２Ｍｇ２＋、１／２Ｃａ２＋又は１／２Ｂａ２＋であり；
Ｌ−は、Ｆ−、Ｃｌ−、Ｂｒ−、Ｉ−、ＨＳＯ４−、１／２ＳＯ４２−、ＮＯ３−、
【０１０７】
【化３７】
2008509415.tif 000035
【０１０８】
ＣｌＯ４−、ＢＦ４−、ＰＦ６−、ＡｓＦ６−、ＳｂＦ６−、（Ｍ５０ＳＯ２）３Ｃ−又は（Ｍ５０ＳＯ２）２Ｎ−であり；
Ｍ３６、Ｍ３７、Ｍ３８及びＭ３９は、Ｍ２５、Ｍ２６及びＭ２７に与えた意味の１つを有し；
Ｍ４０、Ｍ４１及びＭ４２は、Ｍ２８及びＭ２９に与えた意味の１つを有し；
Ｍ４３及びＭ４４は、互いに独立して、１つ以上のＡｒ１、ＯＨ、Ｃ１〜Ｃ１８アルキル、Ｃ１〜Ｃ８ハロアルキル、Ｃ３〜Ｃ３０シクロアルキル、ハロゲン、−ＮＯ２、−ＣＮ、Ｃ１〜Ｃ１２アルコキシ、フェノキシ、フェノキシカルボニル、フェニルチオ、フェニルチオカルボニル、−ＮＭ２１Ｍ２２、Ｃ１〜Ｃ１２アルキルチオ、Ｃ２〜Ｃ１２アルコキシカルボニル、Ｃ２〜Ｃ８ハロアルカノイル、ハロベンゾイル、Ｃ１〜Ｃ１２アルキルスルホニル、フェニルスルホニル、（４−メチルフェニル）スルホニル、Ｃ１〜Ｃ１２アルキルスルホニルオキシ、フェニルスルホニルオキシ、（４−メチルフェニル）スルホニルオキシ、Ｃ２〜Ｃ１２アルカノイル、Ｃ２〜Ｃ１２アルカノイルオキシ、ベンゾイルで、及び／又はベンゾイルオキシで場合により置換されたフェニルであり；あるいはＭ４３及びＭ４４は、適切ならばＣ１〜Ｃ２アルキレン、−Ｏ−、−Ｓ−、又は−ＣＯ−と一緒になって縮合環を形成し；
Ｍ４５は、Ｃ１〜Ｃ１８アルキル、Ｃ１〜Ｃ８ハロアルキル、カンファリル、フェニル−Ｃ１〜Ｃ３アルキル、Ｃ３〜Ｃ３０シクロアルキル、Ｃ４〜Ｃ３０シクロアルケニル、フェニル、ナフチル、アントラシル又はフェナントリルであり；そのすべては、１つ以上のＣ１〜Ｃ１８アルキル、Ｃ１〜Ｃ８ハロアルキル，Ｃ３〜Ｃ３０シクロアルキル、ハロゲン、−ＮＯ２、−ＣＮ、−Ａｒ１、−（ＣＯ）Ｍ１９、−（ＣＯ）ＯＭ２０、−（ＣＯ）ＮＭ２１Ｍ２２、−Ｏ（ＣＯ）Ｍ１９、−Ｏ（ＣＯ）ＯＭ２０、−Ｏ（ＣＯ）ＮＭ２１Ｍ２２、−ＮＭ２３（ＣＯ）Ｍ１９、−ＮＭ２３（ＣＯ）ＯＭ２０、−ＯＭ２０、−ＮＭ２１Ｍ２２、−ＳＭ２３、−ＳＯＭ１９、−ＳＯ２Ｍ１９、及び／又は−ＯＳＯ２Ｍ１９で場合により置換され；
Ｍ４６及びＭ４７は、互いに独立して、Ｍ５に与えた意味の１つを有し；
あるいはＭ４６及びＭ４７は、一緒になって、−ＣＯ−ＮＭ２３−ＣＯ−又は−Ｃ（Ｍ３０）＝Ｃ（Ｍ３１）−Ｃ（Ｍ３２）＝Ｃ（Ｍ３３）−であり；
Ｍ４８及びＭ４９は、互いに独立して、Ｍ５に与えた意味の１つを有し、
あるいはＭ４８及びＭ４９は、一緒になって、−ＣＯ−ＮＭ２３−ＣＯ−又は−Ｃ（Ｍ３０）＝Ｃ（Ｍ３１）−Ｃ（Ｍ３２）＝Ｃ（Ｍ３３）−であり；
Ｍ５０は、Ｃ１〜Ｃ８−ペルフルオロアルキルであり；
Ｑ１は、−ＣＭ３５−又は−Ｎ−であり；そして
Ｑ２は、−ＣＨ２−、−Ｓ−、−Ｏ−又は−ＮＭ２３−である。
【０１０９】
光潜在性酸が
【０１１０】
【化３８】
2008509415.tif 000036
【０１１１】
２，２，２−トリフルオロ−１−ｐ−トリル−エタノンオキシム２−メトキシエタンスルホナート
【０１１２】
【化３９】
2008509415.tif 000037
【０１１３】
２，２，２−トリフルオロ−１−（４−メトキシフェニル）−エタノンオキシム２−メトキシエタンスルホナート
【０１１４】
【化４０】
2008509415.tif 000038
【０１１５】
２，２，２−トリフルオロ−１−（４−メトキシフェニル）−エタノンオキシム２−（２−メトキシ−エトキシ）−エタンスルホナート
【０１１６】
【化４１】
2008509415.tif 000039
【０１１７】
２，２，２−トリフルオロ−１−（４−メトキシフェニル）−エタノンオキシム２−｛２−（２−エトキシ−エトキシ）−エトキシ｝−エタンスルホナート
【０１１８】
【化４２】
2008509415.tif 000040
【０１１９】
２，２，２−トリフルオロ−１−（４−メトキシフェニル）−エタノンオキシム２−（ｎ−ブチルチオ）−エタンスルホナート
【０１２０】
【化４３】
2008509415.tif 000041
【０１２１】
２，２，２−トリフルオロ−１−（４−メトキシフェニル）−エタノンオキシム２−（３−ヒドロキシプロピルチオ）−エタンスルホナート
【０１２２】
【化４４】
2008509415.tif 000042
【０１２３】
２，２，２−トリフルオロ−１−（４−メトキシフェニル）−エタノンオキシム２−（ｐ−ヒドロキシフェニルチオ）−エタンスルホナート
【０１２４】
【化４５】
2008509415.tif 000043
【０１２５】
２，２，２−トリフルオロ−１−（４−メトキシフェニル）−エタノンオキシム２−（ｐ−トルエンスルホニル）−エタンスルホナート
【０１２６】
【化４６】
2008509415.tif 000044
【０１２７】
２，２，２−トリフルオロ−１−（４−メトキシフェニル）−エタノンオキシム２−（１，３−ジオキソ−１，３−ジヒドロ−イソインドール−２−イル）−エタンスルホナート
【０１２８】
【化４７】
2008509415.tif 000045
【０１２９】
２，２，２−トリフルオロ−１−（４−｛３−［４−（２，２，２−トリフルオロ−１−ビニルスルホニルオキシイミノ−エチル）−フェノキシ］−プロポキシ｝−フェニル）−エタノンオキシムビニルスルホナート
【０１３０】
【化４８】
2008509415.tif 000046
【０１３１】
２，２，２−トリフルオロ−１−ｐ−トリル−エタノンオキシムビニルスルホナート
【０１３２】
【化４９】
2008509415.tif 000047
【０１３３】
ビス［２，２，２−トリフルオロ−１−（４−メトキシフェニル）−エタノンオキシム］３，７−ジチアノナン−１，９−ジスルホナート
【０１３４】
【化５０】
2008509415.tif 000048
【０１３５】
５−｛２−（メタンスルホニル）−エタンスルホキシ｝−イミノ−５Ｈ−チオフェン−２−イリデン−ｏ−トリル−アセトニトリル
【０１３６】
【化５１】
2008509415.tif 000049
【０１３７】
５−｛２−（ｐ−トルエンスルホニル）−エタンスルホキシ｝−イミノ−５Ｈ−チオフェン−２−イリデン−ｏ−トリル−アセトニトリル
【０１３８】
【化５２】
2008509415.tif 000050
【０１３９】
Ｎ−（エテンスルホニルオキシ）−５−ノルボルネン−２，３−ジカルボキシミド
【０１４０】
【化５３】
2008509415.tif 000051
【０１４１】
Ｎ−（２−シクロヘキシルスルファニル−エタンスルホニルオキシ）−５−ノルボルネン−２，３−ジカルボキシミド
【０１４２】
【化５４】
2008509415.tif 000052
【０１４３】
Ｎ−（２−ヘキシルスルファニル−エタンスルホニルオキシ）−５−ノルボルネン−２，３−ジカルボキシミド
【０１４４】
【化５５】
2008509415.tif 000053
【０１４５】
Ｎ−（２−ジ−ｎ−ヘキシルアミノ−エタンスルホニルオキシ）−５−ノルボルネン−２，３−ジカルボキシミド
【０１４６】
【化５６】
2008509415.tif 000054
【０１４７】
１−［２−（３，５−ジオキソ−４−アザ−トリシクロ［５．２．１．０２，６］デカ−８−エン−４−イルオキシスルホニル）−エチル］−ピリジニウムノナフルオロブタン−１−スルホナート
からなる群より選択されるときに特に好ましい。
【０１４８】
前述のスルホナート誘導体は、他の既知の光潜在性酸、例えばオニウム塩、６−ニトロベンジルスルホナート、ビス−スルホニルジアゾメタン化合物、シアノ基含有オキシムスルホナート化合物などと一緒になって使用することもできる。これらの光潜在性酸は、前述のスルホナート誘導体の代わりに使用することもできる。知られている光潜在性酸の例は、米国特許第５７３１３６４号、米国特許第５８００９６４号、欧州特許第７０４７６２号、米国特許第５４６８５８９号、米国特許第５５５８９７１号、米国特許第５５５８９７６号、米国特許第６００４７２４号、英国特許第２３４８６４４号、及び特に欧州特許第７９４４５７号、及び欧州特許第７９５７８６号に記載されている。光潜在性酸の混合物を本発明によるＴＴＩで使用する場合、混合物中での式Ｉａ、Ｉｂ、ＩＩａ、ＩＩｂ、ＩＩＩａ、ＩＩＩｂ、ＩＶａ、ＩＶｂ、Ｖａ、Ｖｂ、又はＶＩａのスルホナート誘導体の、他の光潜在性酸に対する重量比は、好ましくは１：９９〜９９：１である。
【０１４９】
式Ｉａ、Ｉｂ、ＩＩａ、ＩＩｂ、ＩＩＩａ、ＩＩＩｂ、ＩＶａ、ＩＶｂ、Ｖａ、Ｖｂ、又はＶＩａの化合物と混合して使用するのに適切な光潜在性酸の例は、
（１）オニウム塩化合物、例えば
ヨードニウム塩、スルホニウム塩、ホスホニウム塩、ジアゾニウム塩、ピリジニウム塩である。好ましくは、ジフェニルヨードニウムトリフレート、ジフェニルヨードニウムピレンスルホナート、ジフェニルヨードニウムドデシルベンゼンスルホナート，トリフェニルスルホニウムトリフレート、トリフェニルスルホニウムヘキサフルオロアンチモナート、ジフェニルヨードニウムヘキサフルオロアンチモナート、トリフェニルスルホニウムナフタレンスルホナート、（ヒドロキシフェニル）ベンジルメチルスルホニウムトルエンスルホナートなどである。特に好ましいのは、トリフェニルスルホニウムトリフレート、ジフェニルヨードニウムヘキサフルオロアンチモナートである。
（２）ハロゲン含有化合物
ハロアルキル基含有複素環式化合物、ハロアルキル基含有炭化水素化合物などである。好ましくは、（トリクロロメチル）−ｓ−トリアジン誘導体、例えばフェニル−ビス（トリクロロメチル）−ｓ−トリアジン、メトジフェニル−ビス（トリクロロメチル）−ｓ−トリアジン、ナフチル−ビス（トリクロロメチル）−ｓ−トリアジンなど；１．１−ビス（４−クロロフェニル）−２，２，２−トリクロロエタンなどである。
（３）スルホン化合物、例えばβ−ケトスルホン、β−スルホニルスルホン、及びそのα−ジアゾ誘導体などである。好ましくは、フェナシルフェニルスルホン、メシチルフェナシルスルホン、ビス（フェニルスルホニル）メタン、ビス（フェニルスルホニル）ジアゾメタンである。
（４）スルホナート化合物、例えばアルキルスルホン酸エステル、ハロアルキルスルホン酸エステル、アリールスルホン酸エステル、イミノスルホナート、イミドスルホナートなどである。好ましいイミドスルホナート化合物は、例えばＮ−（トリフルオロメチルスルホニルオキシ）スクシンイミド、Ｎ−（トリフルオロメチルスルホニルオキシ）フタルイミド、Ｎ−（トリフルオロメチルスルホニルオキシ）ナフチルイミド、Ｎ−（トリフルオロメチルスルホニルオキシ）ジフェニルマレイミド、Ｎ−（トリフルオロメチルスルホニルオキシ）−ビシクロ−［２，２，１］−ヘプタ−５−エン−２，３−ジカルボキシミド、Ｎ−（トリフルオロメチルスルホニルオキシ）−７−オキサビシクロ−［２，２，１］−ヘプタ−５−エン−２，３−ジカルボキシミド、Ｎ−（トリフルオロメチルスルホニルオキシ）７−オキサビシクロ−［２，２，１］−ヘプタ−５−エン−２，３−ジカルボキシミド、Ｎ−（トリフルオロメチルスルホニルオキシ）−ビシクロ−［２，２，１］−ヘプタン−５，６−オキシ−２，３−ジカルボキシミド、Ｎ−（カンファニルスルホニルオキシ）スクシンイミド、Ｎ−（カンファニルスルホニルオキシ）フタルイミド、Ｎ−（カンファニルスルホニルオキシ）ナフチルイミド、Ｎ−（カンファニルスルホニルオキシ）ジフェニルマレイミド、Ｎ−（カンファニルスルホニルオキシ）ビシクロ−［２，２，１］−ヘプタ−５−エン−２，３−ジカルボキシミド、Ｎ−（カンファニルスルホニルオキシ）−７−オキサビシクロ−［２，２，１］−ヘプタ−５−エン−２，３−ジカルボキシミド、Ｎ−（カンファニルスルホニルオキシ）−７−オキサビシクロ−［２，２，１］ヘプタ−５−エン−２，３−ジカルボキシミド、Ｎ−（カンファニルスルホニルオキシ）−ビシクロ−［２，２，１］−ヘプタン−５，６−オキシ−２，３−ジカルボキシミド、Ｎ−（４−メチルフェニルスルホニルオキシ）スクシンイミド、Ｎ−（４−メチルフェニルスルホニルオキシ）フタルイミド、Ｎ−（４−メチルフェニルスルホニルオキシ）ナフチルイミド、Ｎ−（４−メチルフェニルスルホニルオキシ）ナフチルイミド、Ｎ−（４−メチルフェニルスルホニルオキシ）ジフェニルマレイミド、Ｎ−（４−メチルフェニルスルホニルオキシ）−ビシクロ−［２，２，１］−ヘプタ−５−エン−２，３−ジカルボキシミド、Ｎ−（４−メチルフェニルスルホニルオキシ）−７−オキサビシクロ−［２，２，１］−ヘプタ−５−エン−２，３−ジカルボキシミド、Ｎ−（４−メチルフェニルスルホニルオキシ）−ビシクロ−［２，２，１］−ヘプタン−５，６−オキシ−２，３−ジカルボキシミド、Ｎ−（２−トリフルオロメチルフェニルスルホニルオキシ）スクシンイミド、Ｎ−（２−トリフルオロメチルフェニルスルホニルオキシ）ナフチルイミド、Ｎ−（２−トリフルオロメチルフェニルスルホニルオキシ）ジフェニルマレイミド、Ｎ−（２−トリフルオロメチルフェニルスルホニルオキシ）−ビシクロ−［２，２，１］−ヘプタ−５−エン−２，３−ジカルボキシミド、Ｎ−（２−トリフルオロメチルフェニルスルホニルオキシ）−７−オキサビシクロ−［２，２，１］−ヘプタ−５−エン−２，３−ジカルボキシミド、Ｎ−（２−トリフルオロメチルフェニルスルホニルオキシ）−ビシクロ−［２，２，１］−ヘプタン−５，６−オキシ−２，３−ジカルボキシミドなどである。
他の適切なスルホナート化合物は、好ましくは、例えばベンゾイントシラート、ピロガロールトリストリフレート、ピロガロールメタンスルホン酸トリエステル、ニトロベンジル−９，１０−ジエトキシアントラセン−２−スルホナート、ｏ−（４−トルエン−スルホニルオキシイミノ）−ベンジルシアニド、ｏ−（４−トルエン−スルホニルオキシイミノ）−４−メトキシベンジルシアニド、ｏ−（４−トルエン−スルホニルオキシイミノ）−２−チエニルメチルシアニド、ｏ−（メタンスルホニルオキシイミノ）−１−シクロヘキセニルアセトニトリル、ｏ−（ブチルスルホニルオキシイミノ）−１−シクロペンテニルアセトニトリル、（４−メチルスルホニルオキシイミノ−シクロヘキサ−２，５−ジエニリデン）−フェニル−アセトニトリル、（５−メチルスルホニルオキシイミノ−５Ｈ−チオフェン−２−イリデン）−フェニル−アセトニトリル、（５−メチルスルホニルオキシイミノ−５Ｈ−チオフェン−２−イリデン）−（２−メチルフェニル）−アセトニトリル、（５−プロピルスルホニルオキシイミノ−５Ｈ−チオフェン−２−イリデン）−（２−メチルフェニル）−アセトニトリル、（５−（ｐ−トルエンスルホニルオキシイミノ）−５Ｈ−チオフェン−２−イリデン）−（２−メチルフェニル）−アセトニトリル、（５−（１０−カンファースルホニルオキシイミノ）−５Ｈ−チオフェン−２−イリデン）−（２−メチルフェニル）−アセトニトリル、（５−メチルスルホニルオキシイミノ−５Ｈ−チオフェン−２−イリデン）−（２−クロロフェニル）−アセトニトリル、２，２，２−トリフルオロ−１−｛４−（３−［４−｛２，２，２−トリフルオロ−１−（１−プロパンスルホニルオキシイミノ）−エチル｝−フェノキシ］−プロポキシ）−フェニル｝−エタノンオキシム１−プロパンスルホナート、２，２，２−トリフルオロ−１−｛４−（３−［４−｛２，２，２−トリフルオロ−１−（１−ｐ−トルエンスルホニルオキシイミノ）−エチル｝−フェノキシ］−プロポキシ）−フェニル｝−エタノンオキシム１−ｐ−トルエンスルホナートなどである。
（５）キノンジアジド化合物、例えばポリヒドロキシ化合物の１，２−キノンジアジドスルホン酸エステル化合物である。好ましくは、１，２−キノンジアジドスルホニル基、例えば１，２−ベンゾキノンジアジド−４−スルホニル基、１，２−ナフトキノンジアジド−４−スルホニル基、１，２−ナフトキノンジアジド−５−スルホニル基、１，２−ナフトキノンジアジド−６−スルホニル基又は同種のものを有する化合物である。特に好ましくは、１，２−ナフトキノンジアジド−４−スルホニル基又は１，２−ナフトキノンジアジド−５−スルホニル基を有する化合物である。特に適切なのは、（ポリ）ヒドロキシフェニルアリールケトンの１，２−キノンジアジドスルホン酸エステル、例えば２，３，４−トリヒドロキシベンゾフェノン、２，４，６−トリヒドロキシベンゾフェノン、２，３，４，４’−テトラヒドロキシベンゾフェノン、２，２’，３，４−テトラヒドロキシベンゾフェノン、２，３，４，４’−テトラヒドロキシベンゾフェノン、２，２’，４，４’−テトラヒドロキシベンゾフェノン、２，２’，３，４，４’−ペンタヒドロキシベンゾフェノン、２，２’３，２，６’−ペンタヒドロキシベンゾフェノン、２，３，３’，４，４’５’−ヘキサヒドロキシベンゾフェノン、２，３’，４，４’，５’６−ヘキサヒドロキシベンゾフェノンなど；ビス−［（ポリ）ヒドロキシフェニル］アルカンの１，２−キノンジアジドスルホン酸エステル、例えばビス（４−ヒドロキシフェニル）エタン、ビス（２，４−ジヒドロキシフェニル）エタン、２，２−ビス（４−ヒドロキシフェニル）プロパン、２，２−ビス（２，４−ジヒドロキシフェニル）プロパン、２，２−ビス−（２，３，４−トリヒドロキシフェニル）プロパンなど；（ポリ）ヒドロキシフェニルアルカンの１，２−キノンジアジドスルホン酸エステル、例えば４，４’−ジヒドロキシトリフェニルメタン、４，４’４”−トリヒドロキシトリフェニルメタン、４，４’５，５’−テトラメチル−２，２’２”−トリヒドロキシトリフェニルメタン、２，２，５，５’−テトラメチル−４，４’，４”−トリヒドロキシトリフェニルメタン、１，１，１−トリ（４−ヒドロキシフェニル）エタン、１，１−ビス（４−ヒドロキシフェニル）−１−フェニルエタン、１，１−ビス（４−ヒドロキシフェニル）−１−（４−［１−（ヒドロキシフェニル）−１−メチルエチル］フェニル）エタンなど；（ポリ）ヒドロキシフェニルフラバンの１，２−キノンジアジドスルホン酸エステル、例えば２，４，４−トリメチル−２’，４’，７−トリヒドロキシ−２−フェニルフラバン、２，４，４−トリメチル−２’，４’，５’，６，７−ペンタヒドロキシ−２−フェニルフラバンなどである。
【０１５０】
通常、基材への塗布（好ましくはインクジェットによる）では、組成物を適切な溶媒に溶解させる。これらの溶媒の好ましい例は、エチレンジクロリド、シクロヘキサノン、シクロペンタノン、２−ヘプタノン、γ−ブチロラクトン、メチルエチルケトン、エチレングリコールモノメチルエーテル、エチレングリコールモノエチルエーテル、２−メトキシエチルアセテート、２−エトキシエチルアセテート、２−エトキシエタノール、ジエチルグリコールジメチルエーテル、エチレングリコールモノエチルエーテルアセテート、プロピレングリコールモノメチルエーテル、プロピレングリコールモノメチルエーテルアセテート、トルエン、エチルアセテート、メチルラクテート、エチルラクテート、メチルメトキシプロピオナート、エチルエトキシプロピオナート、メチルピルベート、エチルピルベート、プロピルピルベート、Ｎ，Ｎ−ジメチルホルムアミド、ジメチルスルホキシド、Ｎ−メチルピロリドン、及びテトラヒドロフランを含む。これらの溶媒は単独で、又は混合物として使用してもよい。溶媒の好ましい例は、エステル、例えば２−メトキシエチルアセテート、エチレングリコールモノエチルエーテルアセテート、プロピレングリコールモノメチルエーテルアセテート、メチルメトキシプロピオナート、エチルエトキシプロピオナート、及びエチルラクテートである。そのような溶媒の使用は、式Ｉａ、Ｉｂ、ＩＩａ、ＩＩｂ、ＩＩＩａ、ＩＩＩｂ、ＩＶａ、ＩＶｂ、Ｖａ、Ｖｂ、又はＶＩａで表されるスルホナート誘導体が、それとの良好な親和性と、それへのより優れた溶解性を有するために好都合である。
【０１５１】
光潜在性酸がアゾカップリングベース時間温度インジケータを活性化するための酸性化に用いられるとき、光潜在性酸を活性酸触媒に変換することが必要である。したがって基材に印刷する方法は場合により、１５０ｎｍと１５００ｎｍの間の、好ましくは２５０ｎｍと４５０ｎｍの間の波長の短波光の照射で光潜在性酸の活性酸触媒への変換を更に含む修飾ステップ（ｂ）を含む。
【０１５２】
印刷及び／又は活性化の後、時間温度インジケータは必要ならば、光潜在性酸の活性酸触媒への更新又は継続された光誘起変換を防止するプロテクタを装備する。そのようなプロテクタは、保護コーティング（オーバープリントワニス）、又はある波長範囲をフィルタ除去することで、時間−温度時計が開始した後に上述のように望ましくない更新された、若しくは進行する活性化を阻止することを目的とするフィルタを含む薄層であってもよい。
【０１５３】
別の実施形態において、本発明は、キャップドジアゾニウム成分、カップリング成分及び光潜在性酸からなる群より選択される上述の時間温度インジケータの少なくとも１つの成分を、印刷インク又は印刷インク濃縮物の全重量に基づいて、好都合には０．０１〜７５重量％、好ましくは１〜５０重量％、特に５〜４０重量％、更に特に１０〜２５重量％の濃度で含む、印刷インク、印刷インク濃縮物又はインクジェットインクにも関する。それは例えば電子写真、凹版印刷、フレキソ印刷、スクリーン印刷、オフセット印刷又は活版印刷に使用できる。
【０１５４】
印刷インクは例えば、着色剤（インジケータ）、バインダ及び場合により溶媒及び／又は場合により水及び添加剤を含む液体又はペースト形分散物である。液体印刷インクでは、バインダ及び、適切な場合は、添加剤は一般に溶媒に溶解される。Ｂｒｏｏｋｆｉｅｌｄ粘度計での慣習的な粘度は、液体印刷インクには、例えば２０〜５０００ｍＰａ・ｓ、例えば２０〜１０００ｍＰａ・ｓである。ペースト形印刷インクでは、値は例えば１〜１００Ｐａ・ｓ、好ましくは５〜５０Ｐａ・ｓの範囲である。当業者は、印刷インクの原料及び組成物の精通するであろう。
【０１５５】
印刷インクは例えば、電子写真、凹版印刷、フレキソ印刷、スクリーン印刷、オフセット印刷、リソグラフィー又は活版印刷に使用できる。適切な印刷インクは、溶媒ベース印刷インク及び水ベース印刷インクの両方である。
【０１５６】
興味深いのは例えば水性アクリレートをベースとする印刷インクである。そのようなインクは、基
【０１５７】
【化５７】
2008509415.tif 000055
【０１５８】
を含有する少なくとも１つのモノマーの重合で得られ、水又は水含有有機溶媒に溶解されるポリマー又はコポリマーを含むとして理解される。適切な有機溶媒は、当業者によって慣習的に使用される水混和性溶媒、例えばアルコール、例えばメタノール、エタノールならびにプロパノール、ブタノール、及びペンタノールの異性体、エチレングリコールならびにそのエーテル、例えばエチレングリコールメチルエーテル及びエチレングリコールエチルエーテル、ならびにケトン、例えばアセトン、エチルメチルケトン又はシクロヘキサノン、例えばイソプロパノールである。水及びアルコールが好ましい。
【０１５９】
適切な印刷インクは例えば、バインダとして主にアクリレートポリマー又はコポリマー及び例えば水、Ｃ１〜Ｃ５アルコール、エチレングリコール、２−（Ｃ１〜Ｃ５アルコキシ）−エタノール、アセトン、エチルメチルケトン、及びその混合物からなる群より選択される溶媒を含む。
【０１６０】
バインダに加え、印刷インクは、当業者に知られている添加剤も慣習的な濃度で含んでいてもよい。
【０１６１】
凹版又はフレキソ印刷では、印刷インクは通常、印刷インク濃縮物の希釈で調製され、次いでそれ自体既知の方法にしたがって使用できる。
【０１６２】
印刷インクは、例えば、酸化によって乾燥するアルキド系を含んでいてもよい。
【０１６３】
印刷インクは、当技術分野において慣習的な知られている方法、場合によりコーティングの加熱によって乾燥させる。
【０１６４】
適切な水性印刷インク組成物は、例えばインジケータ、分散剤、及びバインダを含む。
【０１６５】
考慮される分散剤は、例えば慣習的な分散剤、例えば１つ以上のアリールスルホン酸／ホルムアルデヒド縮合生成物を、又は１つ以上の水溶性オキシアルキル化フェノールをベースとする水溶性分散剤、非イオン性分散剤あるいはポリマー酸を含む。
【０１６６】
アリールスルホン酸／ホルムアルデヒド縮合生成物は、例えば芳香族化合物、例えばナフタレン自体又はナフタレン含有混合物のスルホン化と、続いて得られたアリールスルホン酸のホルムアルデヒドによる縮合とによって得られる。そのような分散剤は知られており、例えば米国特許第５，１８６，８４６号及び独国特許第１９７  ２７  ７６７号に記載されている。適切なオキサルキル化フェノールは同様に知られており、例えば米国特許第４，２１８，２１８号及び独国特許第１９７  ２７  ７６７号に記載されている。適切な非イオン性分散剤は例えば、アルキレンオキシド付加体、ビニルピロリドン、ビニルアセテート又はビニルアルコールの重合生成物及びビニルピロリドンとビニルアセテート及び／又はビニルアルコールとのコポリマー又はターポリマーである。例えば分散剤及びバインダの両方として作用するポリマー酸を使用することも可能である。
【０１６７】
言及してもよい適切なバインダ成分の例は、アクリレート基含有、ビニル基含有及び／又はエポキシ基含有モノマー、プレポリマー及びポリマー及びその混合物を含む。更なる例は、メラミンアクリレート及びシリコーンアクリレートである。アクリレート化合物は、非イオン的に修飾（例えばアミノ基を備えた）又はイオン的に修飾（例えば酸基又はアンモニウム基を備えた）されていてもよく、水性分散物又はエマルジョンの形で使用してもよい（例えば欧州特許第７０４  ４６９号、欧州特許第１２  ３３９号）。更に所望の粘度を得るために、無溶媒アクリレートポリマーをいわゆる反応性希釈剤、例えばビニル基含有モノマーと混合できる。更に適切なバインダ成分は、エポキシ基含有化合物である。
【０１６８】
印刷インク組成物は、更なる成分として、例えば組成物を、特にインクジェット印刷に適切にさせる、水保持作用を持つ薬剤（湿潤剤）、例えば多価アルコール、ポリアルキレングリコールも含むことができる。
【０１６９】
印刷インクは、印刷及びコーティング業界で慣習的であるような助剤、例えば保存料（例えばグルタルジアルデヒド及び／又はテトラメチロールアセチレン尿素、抗酸化剤、脱気剤／消泡剤、粘度調節剤、流動改良剤、沈降防止剤、光沢改良剤、潤滑剤、接着促進剤、皮張り防止剤、つや消し剤、乳化剤、安定剤、疎水性剤、光安定剤、取り扱い改良剤及び静電気防止剤を更に含んでいてもよいと理解されるだろう。そのような薬剤が組成物中に存在するとき、その全量は一般に、調製物の重量に基づいて≦１重量％である。
【０１７０】
印刷インクは、例えば可溶化剤、例えばε−カプロラクタムも含んでいてもよい。
【０１７１】
印刷インクは、特に粘度を調整する目的で、天然又は合成起源の増粘剤を含む。増粘剤の例は、市販のアルギナート増粘剤、デンプンエーテル又はイナゴマメ粉エーテルを含む。印刷インクは、このような増粘剤を、印刷インクの全重量に基づいて例えば０．０１〜２重量％の量で含む。
【０１７２】
例えばｐＨを、４〜９、特に５〜８．５の値で安定させるために、印刷インクは緩衝物質、例えばホウ砂、ボラート、ホスフェート、ポリホスフェート又はシトレートを例えば０．１〜３重量％の量で含むことも可能である。
【０１７３】
更なる添加剤として、このような印刷インクは界面活性剤又は湿潤剤を含むことができる。考慮される界面活性剤は、市販のアニオン性及び非イオン性界面活性剤を含む。考慮される湿潤剤は例えば、尿素又はナトリウムラクテート（好都合には、５０〜６０％水溶液の形の）及びグリセロール及び／又はプロピレングリコールの混合物を、印刷インク中で例えば０．１〜３０重量％、特に２〜３０重量％の量で含む。
【０１７４】
更に印刷インクは、慣習的な添加剤、例えば泡減量剤又は特に菌類及び／又は細菌の成長を阻害する物質も含んでいてもよい。そのような添加剤は通常、印刷インクの全重量に基づいて０．０１〜１重量％の量で使用される。
【０１７５】
印刷インクは、慣習的な方法で個々の成分を一緒に、例えば所望の量の水中で混合することによっても調製されてもよい。
【０１７６】
既に言及したように、使用の性質に応じて、例えば印刷インクの粘度又は他の物理的特性、特に印刷インクの問題になっている基材への親和性に影響を及ぼす特性を適合させることが必要であってもよい。
【０１７７】
言及されてもよい基材材料は、例えば、
−セルロース性材料、例えばニス塗りもされていてもよいか、又は他のコーティングを有していてもよい紙、板紙、ボール紙、
−金属材料、例えばニス塗りされていてもよいか、又は他のコーティングを有していてもよい、例えばアルミニウム、鉄、銅、銀、金、亜鉛、又はこのような金属の合金の箔、シート、ワークピース、
−シリケート材料、例えば同様にコーティングされていてもよいガラス、磁器、及びセラミックス、
−あらゆる種類のポリマー材料、例えばポリスチレン、ポリアミド、ポリエステル、ポリエチレン、ポリプロピレン、メラミン樹脂、ポリアクリレート、ポリアクリロニトリル、ポリウレタン、ポリカーボネート、ポリビニルクロリド及び相当するコポリマー及びブロックコポリマー、
−ポリエステル、修飾ポリエステル、ポリエステルブレンド、セルロース性材料、例えばコットン、コットンブレンド、ジュート、亜麻、ヘンプ及びラミー、ビスコース、ウール、絹、ポリアミドブレンド、ポリアクリロニトリル、トリアセテート、アセテート、ポリカーボネート、ポリプロピレン、ポリビニルクロリド、ポリエステルマイクロファイバー及びガラスファイバーファブリックの織物材料、編物品、織物品、不織品、及び作成品、
−食品及び化粧品
を含む。
【０１７８】
特に適切な基材は例えば、紙、コート紙、ボール紙及びプラスチック又は金属箔、例えばアルミニウム箔である。
【０１７９】
好ましくは、水性印刷インクが使用される印刷プロセスが与えられることである。
【０１８０】
基材の印刷は、好ましくは、連続又は滴状インクジェット印刷によってもたらされる。本発明は、キャップドジアゾニウム成分とカップリング成分との間のアゾカップリング反応に基づくクロミック特性を備えた上述の時間温度インジケータの少なくとも１つの成分を含む非水性又は水性インクジェットインクにも関する。
【０１８１】
インクは、有機溶媒又は有機溶媒の混合物中のＴＴＩの溶液からなる非水性インクでもよい。この目的に使用できる溶媒の例は、アルキルカルビトール、アルキルセロソルブ、ジアルキルホルムアミド、ジアルキルアセトアミド、アルコール、アセトン、メチルエチルケトン、ジエチルケトン、メチルイソブチルケトン、ジイソプロピルケトン、ジブチルケトン、ジオキサン、エチルブチラート、エチルイソバレラート、ジエチルマロナート、ジエチルスクシナート、ブチルアセテート、トリエチルホスフェート、エチルグリコールアセテート、トルエン、キシレン、テトラリン又は石油エーテル留分である。インクビヒクルなどのように最初に加熱する必要のある、溶媒としての固体ワックスの例は、ステアリン酸又はパルミチン酸である。
【０１８２】
インクは、好ましくは、インクの全重量に基づいて１〜３５重量％、特に１〜３０重量％及び好ましくは１〜２０重量％のインジケータの全含有量を含む。下限として、１．５重量％，特に２重量％、そして更に特に３重量％の限度が好ましい。
【０１８３】
インクは、水混和性有機溶媒、例えばＣ１〜Ｃ４アルコール、例えばメタノール、エタノール、ｎ−プロパノール、イソプロパノール、ｎ−ブタノール、ｓｅｃ−ブタノール、ｔｅｒｔ−ブタノール又はイソブタノール；アミド、例えばジメチルホルムアミド又はジメチルアセトアミド；ケトン又はケトンアルコール、例えばアセトン、ジアセトンアルコール；エーテル、例えばテトラヒドロフラン又はジオキサン；窒素含有複素環式化合物、例えばＮ−メチル−２−ピロリドン又は１，３−ジメチル−２−イミダゾリドン、ポリアルキレングリコール、例えばポリエチレングリコール、又はポリプロピレングリコール；Ｃ２〜Ｃ６アルキレングリコール及びチオグリコール、例えばエチレングリコール、プロピレングリコール、ブチレングリコール、トリエチレングリコール、チオジグリコール、ヘキシレングリコール及びジエチレングリコール；更なるポリオール、例えばグリセロール又は１，２，６−ヘキサントリオール；ならびに多価アルコールのＣ１〜Ｃ４アルキルエーテル、例えば２−メトキシエタノール、２−（２−メトキシ−エトキシ）エタノール、２−（２−エトキシエトキシ）エタノール、２−［２−（２−メトキシエトキシ）エトキシ］−エタノール又は２−［２−（２−エトキシエトキシ）エトキシ］エタノール；好ましくはＮ−メチル−２−ピロリドン、ジエチレングリコール、グリセロール又は特に１，２−プロピレングリコールを、インクの全重量に基づいて通常２〜３０重量％、特に５〜３０重量％及び好ましくは１０〜２５重量％の量で含んでいてもよい。
【０１８４】
インクは、可溶化剤、例えばε−カプロラクタムも含んでいてもよい。
【０１８５】
印刷インクは、特に、粘度を調整する目的で、天然又は合成起源の増粘剤を含んでいてもよい。
【０１８６】
更に本発明による顔料調製物は、特にバインダ硬化がＵＶ照射によってもたらされるとき、重合を開始する光開始剤を含んでいてもよい。
【０１８７】
遊離基光重合、すなわちアクリレート、及び所望ならばビニル化合物の重合のための適切な光開始剤は、例えばベンゾフェノン及びベンゾフェノン誘導体、例えば４−フェニルベンゾフェノン及び４−クロロベンゾフェノン、アセトフェノン誘導体、例えば１−ベンゾイルシクロヘキサン−１−オール、２−ヒドロキシ−２，２−ジメチルアセトフェノン及び２，２−ジメトキシ−２−フェニルアセトフェノン、ベンゾイン及びベンゾインエーテル、例えばメチル、エチル及びブチルベンゾインエーテル、ベンジルケタール、例えばベンジルジメチルケタール、２−メチル−１−［４−（メチルチオ）フェニル］−２−モルホリノプロパン−１−オン、アシルホスフィンオキシド、例えば２，４，６−トリメチルベンゾイルジフェニルホスフィンオキシド及びビスアシルホスフィンオキシドである。
【０１８８】
カチオン重合、すなわちビニル化合物又はエポキシ基含有化合物の重合のための適切な光開始剤は例えば、アリールジアゾニウム塩、例えば４−メトキシベンゼンジアゾニウムヘキサフルオロホスフェート、ベンゼンジアゾニウムテトラフルオロボラート及びトルエンジアゾニウムテトラフルオロアルセナート、アリールヨードニウム塩、例えばジフェニルヨードニウムヘキサフルオロアルセナート、アリールスルホニウム塩、例えばトリフェニルスルホニウムヘキサフルオロホスフェート、ベンゼン−及びトルエン−スルホニウムヘキサフルオロホスフェート及びビス［４−ジフェニルスルホニオ−フェニル］スルフィド−ビス−ヘキサフルオロホスフェート、ジスルホン、例えばジフェニルジスルホン及びフェニル−４−トリルジスルホン、ジアゾジスルホン、イミドトリフレート、ベンゾイントシラート、イソキノリウム塩、例えばＮ−エトキシイソキノリウムヘキサフルオロホスフェート、フェニル−ピリジニウム塩、例えばＮ−エトキシ−４−フェニルピリジニウムヘキサフルオロホスフェート、ピコリニウム塩、例えばＮ−エトキシ−２−ピコリニウムヘキサフルオロホスフェート、フェロセニウム塩、及びチタノセンである。
【０１８９】
一般にＵＶ照射によるバインダ硬化のために必要である光開始剤が、本発明によるインク組成物中に存在するとき、その含有率は一般に０．１〜１０重量％、好ましくは０．１〜８重量％である。
【０１９０】
言及されてもよい増粘剤の例は、市販のアルギネート増粘剤、デンプンエーテル又はイナゴマメ粉エーテル、特にナトリウムアルギネートを単独で又は修飾セルロース、例えばメチル−、エチル−、カルボキシメチル−、ヒドロキシエチル−、メチルヒドロキシエチル−、ヒドロキシプロピル−又はヒドロキシプロピルメチル−セルロースとの混合剤を含み、特に好ましくは２０〜２５重量％のカルボキシメチルセルロースを有する。言及されてもい合成増粘剤は、例えばポリ（メタ）アクリル酸又はポリ（メタ）アクリルアミドをベースとする増粘剤である。
【０１９１】
インクは、そのような増粘剤をインクの全重量に基づいて例えば０．０１〜２重量％、特に０．０１〜１重量％、好ましくは０．０１〜０．５重量％の量で含む。
【０１９２】
インクが緩衝物質、例えばホウ砂、ボラート、ホスフェート、ポリホスフェート又はシトレートを含むことも可能である。例は、ホウ砂、ナトリウムボラート、ナトリウムテトラボラート、ナトリウム二水素ホスフェート、ジナトリウム水素ホスフェート、ナトリウムトリポリホスフェート、ナトリウムペンタポリホスフェート及びナトリウムシトレートを含む。それらは例えばｐＨを、４〜９、特に５〜８．５の値に達成させるために、インクの全重量に基づいて特に０．１〜３重量％、好ましくは０．１〜１重量％の量で使用される。
【０１９３】
更なる添加剤として、インクは界面活性剤又は湿潤剤を含んでいてもよい。
【０１９４】
界面活性剤として、市販のアニオン性又は非イオン性界面活性剤が考慮される。本発明によるインク中の適切な湿潤剤は例えば、尿素又はナトリウムラクテート（好都合には５０〜６０％水溶液の形で）及びグリセロール及び／又はプロピレングリコールの混合物を好ましくは０．１〜３０重量％、特に２〜３０重量％の量で含む。
【０１９５】
更にインクは、慣習的な添加剤、例えば保存料（例えばグルタルジアルデヒド及び／又はテトラメチロールアセチレン尿素）、抗酸化剤、脱気剤／消泡剤、粘度調節剤、流動改良剤、沈降防止剤、光沢改良剤、潤滑剤、接着促進剤、皮張り防止剤、つや消し剤、乳化剤、安定剤、疎水性剤、光安定剤、取り扱い改良剤及び静電気防止剤も含んでいてもよい。そのような薬剤は通常、インクの全重量に基づいて０．０１〜１重量％の量で使用される。
【０１９６】
インクは慣習的な方法で個々の構成要素を所望の水の量と一緒に混合することによって調製できる。
【０１９７】
本発明によるインクは、インクが小さい開口から液滴の形で絞り出されて、画像が形成される基材へ送られる種類の記録システムでの使用に特に適切である。適切な基材は例えば紙、織物繊維材料、金属箔又はプラスチック箔である。適切な記録システムは例えば、紙又は織物印刷で使用するための市販のインクジェットプリンタである。
【０１９８】
使用の性質に応じて、例えばインクの粘度又は他の物理的特性、特に印刷インクの問題になっている基材への親和性に影響を及ぼす特性をそれ相応に適合させることが必要であってもよい。
【０１９９】
インクジェット印刷では、インクの個々の液滴がノズルから制御された方法で基材にスプレーされる。この目的で、主に連続インクジェット方法及びドロップオンデマンド方法が使用される。連続インクジェット方法では、液滴が連続的に生成され、印刷に必要とされない液滴は収集容器に送られてリサイクルされる。しかしながらドロップオンデマンド方法では、液滴が生成されて、必要に応じて印刷される；すなわち液滴は印刷に必要とされるときにのみ生成される。液滴の生成は例えば圧電−インクジェットヘッドによって、又は熱エネルギー（バブルジェット）によってもたらされる。
【０２００】
その後のバインダの硬化、すなわちプリントの固定は慣習的な方法で熱又は高エネルギー放射を用いてもたらすことができる。この目的のために、プリントは、不活性ガス雰囲気（例えば窒素）下での電子（電気ビーム硬化）、又は好ましくは２２０〜４５０ｎｍの波長での高エネルギー電磁放射のどちらかによって照射される。そのような手順では、選択される光強度は、インジケータの分解を回避するために硬化速度に適合させるべきである。
【０２０１】
インクジェット印刷を使用するとき、手順は、好都合には次のとおりである。
ステップａ）において、キャップドジアゾニウム成分、カップリング成分、及び光潜在性酸からなる群より選択される上述の時間温度インジケータの少なくとも１つの成分を含む時間−温度インジケータが、インクジェット印刷によって基材に、特に老化及び温度感受性製品のパッケージに、又はパッケージに貼り付けられるラベルに塗布される。
【０２０２】
好ましい実施形態において、ステップａ）では、更にインクジェット印刷によって、時間の関数としてインジケータの色変化を再現する参照スケールを塗布することが可能であり、そして好ましくは黒色インクで、更なる文字（又は情報）、例えば使用期限、製品識別情報、重量、内容などを塗布することが可能である。
【０２０３】
ステップａ）には、ステップｂ）アゾカップリング反応を開始するためのインジケータの活性化、特に光誘起酸性化が続く。バインダの光誘起硬化は、好都合に、インジケータの光誘起開始を含む。
【０２０４】
ステップｃ）には、インジケータの光誘起酸性化が更新すること又は進行することを阻止するプロテクタ、特にカラーフィルタの塗布が続く。ＵＶ感受性光潜在性酸を使用する場合、４３０ｎｍを超える代表的な波長を有する光のみを透過できる黄色フィルタが考慮される。好都合には、保護フィルム、すなわちカラーフィルタは同様にインクジェット印刷によって塗布できる。
【０２０５】
時間−温度インジケータと共に印刷された参照スケールによって、品質グレードの絶対的な決定が可能である。時間−温度インジケータ及び参照スケールは、読み取りしやすくするために、明色の基材上に好都合に配列される。
【０２０６】
適切な基材材料は、無機及び有機材料の両方、好ましくは従来の層及びパッケージ技法から既知の材料である。例としてポリマー、ガラス、金属、紙、ボール紙などが言及されてもよい。
【０２０７】
基材は、腐敗しやすい製品用のパッケージ材料を同時に形成できるか、又はパッケージ材料に例えばラベルの形で貼り付けることができる。
【０２０８】
例えばステップａ）では、上述の時間−温度インジケータを含む印刷インク、印刷インク濃縮物及び／又はインクジェットインクを老化及び温度感受性製品のパッケージにバーコードの形で塗布できる。インジケータの時間及び／又は温度誘起着色は、好都合に調整できるので、いったん使用期限が経過すると、バーコードはもはやスキャナによって読み取ることができない。その代わりにインジケータの時間及び／又は温度依存性着色は、なお読み取り可能であるが、読み取られるときに使用期限に関する情報を与えるように、バーコードの変化を引き起こすこともできる。
【０２０９】
しかしながらバーコードの上述の時間及び／又は温度依存性視覚化のための前提条件は、インジケータの塗布及び照射によるその可能な活性化には、インジケータの光誘起酸性化が更新すること又は継続することを阻止するプロテクタ、例えばカラーフィルタの塗布が続くということである。
【０２１０】
更なる用途においては、本発明による方法は、文書の原本としての偽造防止マーキングを各種の方法で可能にする。例えば身分証明書、パスポート、紙幣、小切手及び株券に原本としてマーキングできる。本発明による方法は、偽造防止製品識別ラベルを作成するためにも同様に使用できる。製品著作権侵害及び偽造品によって世界経済に引き起こされた経済的損失は莫大である。製薬製品の場合に偽造を防止することが特に必要である。本発明による方法は、例えばブリスターパックの偽造防止マーキングを可能にするため、粗悪な調製物が純正品として出回るのを防止するために決定的な効果を有することができる。本発明による方法に基づくマーキング技術の使用に対し、極めて広い範囲がある。効果的なブランド保護を行うための大量消費のためのブランド製品のラベル付けに加えて、偽造の危機に瀕している高価値品、例えば紙幣又はチップカードを、比較的低いコストで単純及び容易な自動化方式で偽造防止することも可能である。特に製品著作権侵害に影響される製品、例えば自動車部品、玩具、及びＣＤの場合、これまで達成できなかったコピープロテクションを加えて達成することができる。
【０２１１】
例えば正常な状況下では見えないインジケータ片を、偽造から保護される製品又は文書の適切な基材に塗布することができる。そして製品の真偽の確認は、照射によって（例えば適切な波長の光を放出するランプによる）非常に簡単にもたらすことができるので、インジケータ片は観察者に見え、又は偽造品の場合には観察者に見えない。ブランド製品の真偽もこの方法で確認できる。ある強度及び／又はある波長スペクトルの光の作用の下でそのように変化する、パッケージ上のマークの再現が可能であるため、消費者は商品の起源について疑うことはないであろう。それゆえブランド及び／又は製品著作権侵害に制限が設けられるであろう。
【０２１２】
本発明による方法による偽造防止の上述の原理は、原本がコピー機、スキャナなどを使用した光の照射によって複製される海賊版コピーからの保護にも使用できる。例えば紙幣に、コピー操作中に光の作用で見えるようになり、それゆえそのようにコピーであることを明らかに示す、不可視インジケータ片を装備することができる。
【０２１３】
したがって本発明は、製品への、又は製品のパッケージへの、キャップドジアゾニウム成分とカップリング成分との間のアゾカップリング反応に基づくクロミック特性を持つ少なくとも１つの時間温度インジケータを印刷するステップを含む製品を偽造防止ラベリングする方法にも関し、ここで製品ラベルはインジケータの活性化、特に光誘起酸性化によって視覚化することができる。
【実施例】
【０２１４】
（１）ジアゾニウム塩の調製
新たに蒸留した化合物１  ９．３重量部を水８４重量部中で乳化した。エマルジョンを撹拌下で０℃まで冷却して、ＮａＮＯ２  ８．５重量部及び塩酸（ｗ＝０．３２）２９重量部を添加した。混合物を０℃＜Ｔ＜５℃にて更に１時間撹拌した。その後、少量のスルファミド酸の添加後に、依然として存在する任意の過剰な亜硝酸塩が破壊された。フェニルジアゾニウムクロリド１４．１重量部を含有する水溶液を得た。
【０２１５】
表１によるアミン化合物を反応させるときに、更なるジアゾニウム塩溶液を類似の方式で得ることができる。
【０２１６】
【表１】
2008509415.tif 000056
2008509415.tif 000057
【０２１７】
亜硝酸ナトリウムとジアゾ化できる他の任意の芳香族アミンも使用できることが理解されるだろう。
【０２１８】
（２）トリアジン中間体の調製
Ａ  １１．１重量部をｐＨ９〜１１の水１００重量部に溶解させた。溶液を撹拌下で０℃まで冷却した。（１）によって調製したジアゾニウム塩溶液を滴状方式でゆっくり添加した。水酸化ナトリウムを添加することによって、溶液のｐＨを９＜ｐＨ＜１１に維持した。溶液を０℃＜Ｔ＜５℃で更に１時間撹拌して、次いで氷冷水で全体積２１５ｍｌまで希釈した。１−フェニル−３−（カルボキシメタン）−トリアゼンのナトリウム塩２１．５重量部を含有する水溶液を得た。
【０２１９】
表２によるアミン化合物を反応させるときに、更なるトリアゼン溶液も類似の方式で得ることができる。
【０２２０】
【表２】
2008509415.tif 000058
【０２２１】
更なるトリアゼン溶液ＮＭ（表１中Ｎ＝２〜１１、表２中Ｍ＝Ａ−Ｆ）は、ジアゾニウム塩溶液２〜９を表３によるアミンＡ〜Ｆと反応させることによって得られる。
【０２２２】
【表３】
2008509415.tif 000059
2008509415.tif 000060
2008509415.tif 000061
【０２２３】
トリアゼンの形成下でジアゾニウム塩溶液と反応できる他の任意の２級アミンも使用できることが理解されるだろう。
【０２２４】
（３）時間温度インジケータの調製
ナトリウムトリポリホスフェート５ｇ及びエチレンジアミンテトラ酢酸（ＥＤＴＡ）１ｇを温水１．２ｌに溶解させて、室温まで冷却して、１０ｍｌの部分に分けて、塩酸及び／又は水酸化ナトリウムを用いて４＜ｐＨ＜１０の所望のｐＨに調整した。場合により、所望通りに十分に安定したｐＨを維持することができる別の緩衝系を用いてもよい。
【０２２５】
４＜ｐＨ＜１０のｐＨを有する緩衝溶液１０ｍｌを（２）によって調製した１−フェニル−３−（２−カルボキシメタン）−トリアゼンのナトリウム塩２１．５重量部を含有する溶液１ｍｌに添加した。６−ヒドロキシ−ナフタレン−２−スルホン酸（Ｉ）のナトリウム塩０．１１重量部を得られた溶液に添加して、次いで溶液を適切な担体上へ印刷した。
【０２２６】
選択したｐＨ値、時間、及び周囲温度に応じて、担体は６−ヒドロキシ−５−フェニルアゾ−ナフタレン−２−スルホン酸のナトリウム塩の形成のために光沢のあるオレンジ色を呈する（＝Ｆｏｏｄ  Ｏｒａｎｇｅ  １；Ｃ．Ｉ．Ｆ  ＯＲ  ００１）：
【０２２７】
【化５８】
2008509415.tif 000062
【０２２８】
更なる時間−温度インジケータＮＭＩ（表１中Ｎ＝１〜１１、表２中Ｍ＝Ａ〜Ｆ、表４中Ｉ＝Ｉ〜Ｖ）は、表２及び３に記載したトリアゼン溶液を表４によるカップリング成分と反応させることによって得られる。
【０２２９】
【表４】
2008509415.tif 000063
【０２３０】
アゾ基の形成下でジアゾニウムカチオンによる求電子反応を受けることができる他の任意の有機カップリング成分も使用できることが理解されるだろう。
【０２３１】
上述したナトリウム塩の代わりに、他の任意のカチオン塩も用いてもよいことが更に理解されるだろう。
【国際調査報告】
2008509415.tif 000069
2008509415.tif 000070
2008509415.tif 000071